(57)【要約】【課題】本発明の目的とするところは、形の変形に対応する他機器制御のためのユーザインターフェースを提供するフレキシブルディスプレイ装置およびそのＵＩ方法を提供することにある。【解決手段】フレキシブルディスプレイ装置は、ディスプレイと、フレキシブルディスプレイ装置の第１変形形状およびフレキシブルディスプレイ装置の第２変形形状の少なくとも一方を検知する検知部と、第１変形形状の検知に応答して第１変形形状に対応する第１ＵＩをディスプレイし、第２変形形状の検知に応答して第２変形形状に対応する第２ＵＩをディスプレイし、第１および第２ＵＩのいずれか一方に対する入力を受信し、入力に対応する被制御機器の機能を実行するように、被制御機器を指示（Ｉｎｓｔｒｕｃｔｉｏｎ）する制御信号を被制御機器に伝送するように制御する制御部とを含む。【選択図】図１１
2013218696.tif 000002
【特許請求の範囲】
【請求項１】
フレキシブルディスプレイ装置において、
ディスプレイと、
前記フレキシブルディスプレイ装置の第１変形形状および前記フレキシブルディスプレイ装置の第２変形形状の少なくとも一方を検知する検知部と、
前記第１変形形状の検知に応答して前記第１変形形状に対応する第１ＵＩをディスプレイし、前記第２変形形状の検知に応答して前記第２変形形状に対応する第２ＵＩをディスプレイし、前記第１および第２ＵＩのいずれか一方に対する入力を受信し、前記入力に対応する被制御機器の機能を実行するように、前記被制御機器を指示（Ｉｎｓｔｒｕｃｔｉｏｎ）する制御信号を前記被制御機器に伝送するように制御する制御部と
を含むフレキシブルディスプレイ装置。
【請求項２】
前記被制御機器に前記制御信号を伝送するように、前記制御部によって制御される通信部を更に含むことを特徴とする請求項１に記載のフレキシブルディスプレイ装置。
【請求項３】
前記通信部は、前記検知部で検知された前記第１変形形状および第２前記第２変形形状のいずれか一方を前記被制御機器に伝送し、前記被制御機器から前記第１ＵＩおよび前記第２ＵＩのいずれか一方が前記フレキシブルディスプレイ装置上にディスプレイされるように指示する応答を受信することを特徴とする請求項２に記載のフレキシブルディスプレイ装置。
【請求項４】
前記制御部は、前記検知部で検知された前記第１変形形状および前記第２変形形状のいずれか一方に基づいて、前記ディスプレイされる前記第１および第２ＵＩのいずれか一方の解像度（ｒｅｓｏｌｕｔｉｏｎ）を判断し、
前記通信部は、前記検知部で検知された前記第１および第２変形形状のいずれか一方および前記解像度を前記被制御機器に伝送することを特徴とする請求項３に記載のフレキシブルディスプレイ装置。
【請求項５】
前記応答は、前記フレキシブルディスプレイ装置上にディスプレイされる前記第１ＵＩおよび前記第２ＵＩの構成を更に含むことを特徴とする請求項３に記載のフレキシブルディスプレイ装置。
【請求項６】
前記通信部は、前記検知部によって検知された前記第１変形形状および前記第２変形形状のいずれか一方を前記被制御機器に伝送し、前記被制御機器によって再生されるコンテンツタイプおよび前記フレキシブルディスプレイ装置上にディスプレイされる前記第１ＵＩおよび前記第２ＵＩのいずれか一方を示す前記被制御機器からの応答を受信することを特徴とする請求項２に記載のフレキシブルディスプレイ装置。
【請求項７】
前記通信部は、前記被制御機器によって再生されるコンテンツの変更を示すイベント信号を受信し、
前記制御部は、前記コンテンツの変更に基づいて、前記第１ＵＩおよび前記第２ＵＩのいずれか一方をディスプレイするように前記ディスプレイ部を制御することを特徴とする請求項２に記載のフレキシブルディスプレイ装置。
【請求項８】
前記通信部は、前記フレキシブルディスプレイ装置を前記第１変形形状および前記第２変形形状のいずれか一方を変形するために、前記被制御機器から信号を受信し、前記制御部は、前記フレキシブルディスプレイ装置を前記第１変形形状および第２変形形状のいずれか一方に変形するように前記フレキシブルディスプレイ装置を制御することを特徴とする請求項２に記載のフレキシブルディスプレイ装置。
【請求項９】
前記通信部は、サーバに前記検知部によって検知された前記第１変形形状および前記第２変形形状のいずれか一方を伝送し、前記第１ＵＩおよび前記第２ＵＩのいずれか一方が前記フレキシブルディスプレイ上にディスプレイされるように指示するサーバからの応答を受信することを特徴とする請求項２に記載のフレキシブルディスプレイ装置。
【請求項１０】
前記検知部は、前記第１変形形状および前記第２変形形状のいずれか一方から新たな形状にフレキシブルディスプレイ装置の形状変形を検知し、前記制御部は、前記新たな形状に基づいて、前記ディスプレイされるＵＩを変更するように前記ディスプレイ部を制御することを特徴とする請求項１に記載のフレキシブルディスプレイ装置。
【請求項１１】
前記第１ＵＩは、前記被制御機器上にディスプレイされたカーソルを制御するタッチインターフェースを含み、前記第２ＵＩは前記被制御機器にキーボードデータの入力を制御するキーボードインターフェースを含むことを特徴とする請求項１に記載のフレキシブルディスプレイ装置。
【請求項１２】
前記第１変形形状は、ローリング形状、ベンディング形状およびフォールディング形状のいずれか一つを含み、前記第２変形形状は、前記第１変形形状と異なるローリング形状、ベンディング形状およびフォールディング形状のいずれか一つを含むことを特徴とする請求項１に記載のフレキシブルディスプレイ装置。
【請求項１３】
前記第１変形形状は、第１ベンディング情報を有するベンディング形状であり、前記第２変形形状は、第２ベンディング情報を有するベンディング形状であることを特徴とする請求項１２に記載のフレキシブルディスプレイ装置。
【請求項１４】
フレキシブルディスプレイ装置の制御方法において、
前記フレキシブルディスプレイ装置の第１変形形状および前記フレキシブルディスプレイ装置の第２変形形状の少なくとも一方を検知するステップと、
前記第１変形形状の検知に応答して前記第１変形形状に対応する第１ＵＩをディスプレイし、前記第２変形形状の検知に応答して前記第２変形形状に対応する第２ＵＩをディスプレイするステップと、
前記ディスプレイされた第１および第２ＵＩのいずれか一方に対する入力を受信するステップと、
前記入力に対応する被制御機器の機能を実行するように、前記被制御機器を指示（Ｉｎｓｔｒｕｃｔｉｏｎ）する制御信号を前記被制御機器に伝送するステップと
を含む制御方法。
【請求項１５】
フレキシブルディスプレイ装置を制御する方法を実行するためのプログラムが記録された非一時的コンピュータ読み取り可能な記録媒体において、前記方法は、
前記フレキシブルディスプレイ装置の第１変形形状および前記フレキシブルディスプレイ装置の第２変形形状の少なくとも一方を検知するステップと、
前記第１変形形状の検知に応答して前記第１変形形状に対応する第１ＵＩをディスプレイし、前記第２変形形状の検知に応答して前記第２変形形状に対応する第２ＵＩをディスプレイするステップと、
前記ディスプレイされた第１および第２ＵＩのいずれか一方に対する入力を受信するステップと、
前記入力に対応する被制御機器の機能を実行するように、前記被制御機器を指示（Ｉｎｓｔｒｕｃｔｉｏｎ）する制御信号を前記被制御機器に伝送するステップと
を含む非一時的コンピュータ読み取り可能な記録媒体。
【発明の詳細な説明】
【技術分野】
【０００１】
本発明は、フレキシブルディスプレイ装置およびそのＵＩ方法に関し、より詳細には、形の変形によるユーザインターフェースを提供するフレキシブルディスプレイ装置およびそのＵＩ方法に関する。
【背景技術】
【０００２】
電子技術の発達により、テレビやパソコン、ラップトップコンピュータ、タブレットパソコン、携帯電話、ＭＰ３プレーヤ等のような多様なディスプレイ装置が開発されている。
【０００３】
最近では、より新しく多様な機能を望むユーザのニーズに応えるべく、ディスプレイ装置をより新しい形態で開発するための取り組みが進められている。所謂、次世代ディスプレイと呼ばれるものである。
【０００４】
次世代ディスプレイ装置の一例としてフレキシブルディスプレイ装置がある。フレキシブルディスプレイ装置とは、形が変形自在な特性を有するディスプレイ装置を意味する。
【０００５】
フレキシブルディスプレイ装置の形状は、変形させることができることから、このようなフレキシブルディスプレイ装置の形状変形の特性を多様に活用する必要があった。
【先行技術文献】
【特許文献】
【０００６】
【特許文献１】米国特開第２０１２−００３８６１３号公報
【特許文献２】韓国特開第２００９−００８５８２１号公報
【発明の概要】
【発明が解決しようとする課題】
【０００７】
そこで、本発明は、上記問題に鑑みてなされたものであり、本発明の目的とするところは、形の変形に対応する他機器制御のためのユーザインターフェースを提供するフレキシブルディスプレイ装置およびそのＵＩ方法を提供することにある。
【課題を解決するための手段】
【０００８】
以上のような目的を達成するための本発明の一実施形態に係るフレキシブルディスプレイ装置は、ディスプレイと、前記フレキシブルディスプレイ装置の第１変形形状および前記フレキシブルディスプレイ装置の第２変形形状の少なくとも一方を検知する検知部と、前記第１変形形状の検知に応答して前記第１変形形状に対応する第１ＵＩをディスプレイし、前記第２変形形状の検知に応答して前記第２変形形状に対応する第２ＵＩをディスプレイし、前記第１および第２ＵＩのいずれか一方に対する入力を受信し、前記入力に対応する被制御機器の機能を実行するように、前記被制御機器を指示（Ｉｎｓｔｒｕｃｔｉｏｎ）する制御信号を前記被制御機器に伝送するように制御する制御部とを含む。
【０００９】
なお、前記被制御機器に前記制御信号を伝送するように、前記制御部によって制御される通信部を更に含んでよい。
【００１０】
なお、前記通信部は、前記検知部で検知された前記第１変形形状および第２前記第２変形形状のいずれか一方を前記被制御機器に伝送し、前記被制御機器から前記第１ＵＩおよび前記第２ＵＩのいずれか一方が前記フレキシブルディスプレイ装置上にディスプレイされるように指示する応答を受信してよい。
【００１１】
なお、前記制御部は、前記検知部で検知された前記第１変形形状および前記第２変形形状のいずれか一方に基づいて、前記ディスプレイされる前記第１および第２ＵＩのいずれか一方の解像度（ｒｅｓｏｌｕｔｉｏｎ）を判断し、前記通信部は、前記検知部で検知された前記第１および第２変形形状のいずれか一方および前記解像度を前記被制御機器に伝送してよい。
【００１２】
なお、前記応答は、前記フレキシブルディスプレイ装置上にディスプレイされる前記第１ＵＩおよび前記第２ＵＩの構成を更に含んでよい。
【００１３】
なお、前記通信部は、前記検知部によって検知された前記第１変形形状および前記第２変形形状のいずれか一方を前記被制御機器に伝送し、前記被制御機器によって再生されるコンテンツタイプおよび前記フレキシブルディスプレイ装置上にディスプレイされる前記第１ＵＩおよび前記第２ＵＩのいずれか一方を示す前記被制御機器からの応答を受信してよい。
【００１４】
なお、前記通信部は、前記被制御機器によって再生されるコンテンツの変更を示すイベント信号を受信し、前記制御部は、前記コンテンツの変更に基づいて、前記第１ＵＩおよび前記第２ＵＩのいずれか一方をディスプレイするように前記ディスプレイ部を制御してよい。
【００１５】
前記通信部は、前記フレキシブルディスプレイ装置を前記第１変形形状および前記第２変形形状のいずれか一方を変形するために、前記被制御機器から信号を受信し、前記制御部は、前記フレキシブルディスプレイ装置を前記第１変形形状および第２変形形状のいずれか一方に変形するように前記フレキシブルディスプレイ装置を制御してよい。
【００１６】
なお、前記通信部は、サーバに前記検知部によって検知された前記第１変形形状および前記第２変形形状のいずれか一方を伝送し、前記第１ＵＩおよび前記第２ＵＩのいずれか一方が前記フレキシブルディスプレイ上にディスプレイされるように指示するサーバからの応答を受信してよい。
【００１７】
なお、前記検知部は、前記第１変形形状および前記第２変形形状のいずれか一方から新たな形状にフレキシブルディスプレイ装置の形状変形を検知し、前記制御部は、前記新たな形状に基づいて、前記ディスプレイされるＵＩを変更するように前記ディスプレイ部を制御してよい。
【００１８】
なお、前記第１ＵＩは、前記被制御機器上にディスプレイされたカーソルを制御するタッチインターフェースを含み、前記第２ＵＩは前記被制御機器にキーボードデータの入力を制御するキーボードインターフェースを含んでよい。
【００１９】
なお、前記第１変形形状は、ローリング形状、ベンディング形状およびフォールディング形状のいずれか一つを含み、前記第２変形形状は、前記第１変形形状と異なるローリング形状、ベンディング形状およびフォールディング形状のいずれか一つを含んでよい。
【００２０】
なお、前記第１変形形状は、第１ベンディング情報を有するベンディング形状であり、前記第２変形形状は、第２ベンディング情報を有するベンディング形状であってよい。
【００２１】
一方、本発明の一実施形態に係るフレキシブルディスプレイ装置の制御方法は、前記フレキシブルディスプレイ装置の第１変形形状および前記フレキシブルディスプレイ装置の第２変形形状の少なくとも一方を検知するステップと、前記第１変形形状の検知に応答して前記第１変形形状に対応する第１ＵＩをディスプレイし、前記第２変形形状の検知に応答して前記第２変形形状に対応する第２ＵＩをディスプレイするステップと、前記ディスプレイされた第１および第２ＵＩのいずれか一方に対する入力を受信するステップと、前記入力に対応する被制御機器の機能を実行するように、前記被制御機器を指示（Ｉｎｓｔｒｕｃｔｉｏｎ）する制御信号を前記被制御機器に伝送するステップとを含む。
【００２２】
なお、本発明の一実施形態に係るフレキシブルディスプレイ装置を制御する方法を実行するためのプログラムが記録された非一時的コンピュータ読み取り可能な記録媒体において、前記方法は、前記フレキシブルディスプレイ装置の第１変形形状および前記フレキシブルディスプレイ装置の第２変形形状の少なくとも一方を検知するステップと、前記第１変形形状の検知に応答して前記第１変形形状に対応する第１ＵＩをディスプレイし、前記第２変形形状の検知に応答して前記第２変形形状に対応する第２ＵＩをディスプレイするステップと、前記ディスプレイされた第１および第２ＵＩのいずれか一方に対する入力を受信するステップと、前記入力に対応する被制御機器の機能を実行するように、前記被制御機器を指示（Ｉｎｓｔｒｕｃｔｉｏｎ）する制御信号を前記被制御機器に伝送するステップとを含む。
【発明の効果】
【００２３】
以上説明したように、本発明の多様な実施形態によれば、フレキシブルディスプレイ装置は形の変形によって、他機器制御に要求されるユーザインターフェースを提供することができるようになる。
【図面の簡単な説明】
【００２４】
【図１】本発明の一実施形態に係るフレキシブルディスプレイ装置を構成するディスプレイ部の基本構成を説明するための図である。
【図２】本発明の一実施形態に係るベンドセンサの配置形態を説明するための図である。
【図３】本発明の一実施形態に係るベンドセンサの配置形態を説明するための図である。
【図４】本発明の一実施形態において、ベンドセンサを用いてフレキシブルディスプレイ装置から変形を検知する方法を説明するための図である。
【図５】フレキシブルディスプレイ装置がフォールディング（ｆｏｌｄｉｎｇ）された状態を検知する方法の一例を説明するための図である。
【図６】フレキシブルディスプレイ装置がローリングを検知する方法を説明するための図である。
【図７】本発明の一実施形態に係る重畳された変形センサを用いてベンディング方向を検知する方法について説明する図である。
【図８】本発明の一実施形態に係るベンディング方向検知方法を説明するための図である。
【図９】本発明の多様な実施形態に係る制御システムの実現例を説明するための図である。
【図１０】本発明の多様な実施形態に係る制御システムの動作を説明するための図である。
【図１１】本発明の多様な実施形態に係る制御システムの動作を説明するための図である。
【図１２】本発明の多様な実施形態に係る制御システムの動作を説明するための図である。
【図１３】本発明の多様な実施形態に係る制御システムの動作を説明するための図である。
【図１４】本発明の多様な実施形態に係るフレキシブルディスプレイ装置の構成を説明するためのブロック図である。
【図１５】図１４（ａ）に示すフレキシブルディスプレイ装置の構成を示すブロック図である。
【図１６】制御部の構成を説明するための図である。
【図１７】本発明の多様な実施形態に係る制御部の動作をサポートするためのソフトウェア構造を示す図である。
【図１８】本発明の一実施形態に係るユーザインターフェース提供方法を説明するための図である。
【図１９】本発明の一実施形態に係るユーザインターフェース提供方法を説明するための図である。
【図２０】本発明の一実施形態に係る自動で変形を行う方法を説明するための図である。
【図２１】本発明の一実施形態に係るユーザインターフェース画面を説明するための図である。
【図２２】本発明の一実施形態に係るユーザインターフェース画面を説明するための図である。
【図２３】本発明の一実施形態に係るユーザインターフェース画面を説明するための図である。
【図２４】本発明の一実施形態に係るユーザインターフェース画面を説明するための図である。
【図２５】本発明の一実施形態に係るユーザインターフェース提供方法を説明するための図である。
【図２６】本発明の一実施形態に係るユーザインターフェース表示領域設定方法を説明するための図である。
【図２７】本発明の一実施形態に係る制御モードＵＩ選択方法を説明するための図である。
【図２８】本発明の一実施形態にユーザ把持動作によるユーザインターフェース変更方法を説明するための図である。
【図２９】本発明の多様な実施形態に係るメニューＵＩ提供方法を説明するための図である。
【図３０】本発明の多様な実施形態に係るメニューＵＩ提供方法を説明するための図である。
【図３１】本発明の一実施形態に係るＵＩ提供方法を説明するための図である。
【図３２】本発明の一実施形態に係るＵＩ提供方法を説明するための図である。
【図３３】本発明の一実施形態に係るＵＩ提供方法を説明するための図である。
【図３４】本発明の一実施形態に係るメニューＵＩ提供方法を説明するための図である。
【図３５】本発明の一実施形態に係るユーザインターフェース提供方法を説明するための図である。
【図３６】本発明の一実施形態に係るＵＩ提供方法を説明するための図である。
【図３７】本発明の一実施形態に係るＵＩ提供方法を説明するための図である。
【図３８】本発明の一実施形態に係るディスプレイ装置および胴体の一例を示す図である。
【図３９】本発明の一実施形態に係る電源部を含むフレキシブルディスプレイ装置を示す図である。
【図４０】本発明の一実施形態に係る電子装置の構成を説明するためのブロック図である。
【図４１】本発明の一実施形態に係るサーバの構成を説明するためのブロック図である。
【図４２】本発明の一実施形態に係るフレキシブルディスプレイ装置のＵＩ提供方法を説明するためのフローチャートである。
【図４３】本発明の一実施形態に係るフレキシブルディスプレイ装置のＵＩ提供方法を説明するためのフローチャートである。
【発明を実施するための形態】
【００２５】
以下に添付図面を参照しながら、本発明の好適な実施形態について詳細に説明する。
【００２６】
図１は、本発明の一実施形態に係るフレキシブルディスプレイ装置を構成するディスプレイ部の基本構造を説明するための図である。図１によると、ディスプレイ部１０は、基板１１と、駆動部１２と、ディスプレイパネル１３および保護層１４を含む。フレキシブルディスプレイ装置は、図１４に示すように、ディスプレイ部１１０と、センサ部１２０および制御部１３０を含むフレキシブルディスプレイ装置で実現されてよい。一方、図１のディスプレイ部１０は、ディスプレイ部１１０であってよい。
【００２７】
フレキシブルディスプレイ装置は、既存の平板ディスプレイ装置のディスプレイ特性をそのまま保持しながら、紙のように曲がったり、畳まれたり、または巻かれる等の多様な方式で形が変形自在の装置を意味する。よって、フレキシブルディスプレイ装置は、柔軟な基板の上に製作されなければならない。
【００２８】
具体的に、基板１１は、外部からの圧力によって変形されるプラスチック基板（例えば、高分子フィルム）で実現されてよい。
【００２９】
プラスチック基板は、基礎素材（ｂａｓｅ  ｆｉｌｍ）にバリアコーティング（ｂａｒｒｉｅｒ  ｃｏａｔｉｎｇ）が両面に施された構造を有する。基礎素材の場合、ＰＩ（Ｐｏｌｙｉｍｉｄｅ）、ＰＣ（Ｐｏｌｙｃａｒｂｏｎｉｔｅ）、ＰＥＴ（Ｐｏｌｙｅｔｈｙｌｅｎｅｔｅｒｅｐｈｔａｌａｔｅ）、ＰＥＳ（Ｐｏｌｙｅｔｈｅｒｓｕｌｆｏｎｅ）、ＰＥＮ（Ｐｏｌｙｔｈｙｌｅｎｅｎａｐｈｔｈａｌａｔｅ）、ＦＲＰ（Ｆｉｂｅｒ  Ｒｅｉｎｆｏｒｃｅｄ  Ｐｌａｓｔｉｃ）等の多様な樹脂で実現されてよい。そして、バリアコーティングは、基礎素材で対向する面に行われ、柔軟性を保持するために有機膜または無機膜が利用されてよい。
【００３０】
一方、基板１１は、プラスチック基板の他にも、ガラス薄膜（ｔｈｉｎ  ｇｌａｓｓ）または金属薄膜（ｍｅｔａｌ  ｆｏｉｌ）等のように、フレキシブルな特性を有する素材が使用されてよい。
【００３１】
駆動部１２は、ディスプレイパネル１３を駆動させる機能を具備する。具体的に、駆動部１２は、ディスプレイパネル１３を構成する複数の画素に駆動電圧を印加し、ａ−ｓｉ、ＴＦＴ、ＬＴＰＳ（Ｌｏｗ  Ｔｅｍｐｅｒａｔｕｒｅ  Ｐｏｌｙ  Ｓｉｌｉｃｏｎ）  ＴＦＴ、ＯＴＦＴ（Ｏｒｇａｎｉｃ  ＴＦＴ）等で実現されてよい。駆動部１２は、ディスプレイパネル１３の実現形態に応じて多様な形態で実現されてよい。一例として、ディスプレイパネル１３は、複数の画素セルからなる有機発光体およびその有機発光体の両面を覆う電極層からなってよい。この場合、駆動部１２は、ディスプレイパネル１３の各画素セルに対応する複数のトランジスタを含んでよい。この場合、各トランジスタのゲートに電気信号を印加し、トランジスタに接続された画素セルを発光させてよく、それにより、映像が表示されることができる。
【００３２】
または、ディスプレイパネル１３は、有機発光ダイオードの他にも、ＥＬ、ＥＰＤ（Ｅｌｅｃｔｒｏｐｈｏｒｅｔｉｃ  Ｄｉｓｐｌａｙ）、ＥＣＤ（Ｅｌｅｃｔｒｏｃｈｒｏｍｉｃ  Ｄｉｓｐｌａｙ）、ＬＣＤ（Ｌｉｑｕｉｄ  Ｃｒｙｓｔａｌ  Ｄｉｓｐｌａｙ）、ＡＭＬＣＤ、ＰＤＰ（Ｐｌａｓｍａ  Ｄｉｓｐｌａｙ  Ｐａｎｅｌ）等で実現されてよい。ただ、ディスプレイパネル１３がＬＣＤで実現された場合、ディスプレイパネル１３は、自ら発光することができないことから、別途のバックライトが求められる。バックライトが使用されていないＬＣＤの場合には、周辺の光を利用する。よって、バックライト無しにＬＣＤディスプレイパネル１３を使用するためには、光量の多い屋外環境のような条件が満たされなければならない。
【００３３】
保護層１４は、ディスプレイパネル１３を保護する機能を具備する。例えば、保護層１４には、ＺｒＯ、ＣｅＯ２、Ｔｈ  Ｏ２等の材料が利用されてよい。保護層１４は、透明なフィルム状に製作され、ディスプレイパネル１１３の表面全体を覆うことができる。
【００３４】
一方、図１に示す例と違って、ディスプレイ部１０は、電子ペーパーで実現されてよい。電子ペーパーは、電子ペーパーに一般的なインクの特徴を適用したディスプレイとして、反射光を使用することが一般の平板ディスプレイとは異なる点である。一方、電子ペーパーは、ツイストボールを利用したり、カプセルを利用した電気泳動を用いて絵または文字を変更することができる。
【００３５】
一方、ディスプレイ部１０が透明な材質の構成要素からなる場合、ベンディングが可能でありつつ、透明な性質を有するディスプレイ装置でも実現されてよい。仮に、基板１１は、透明な性質を有するプラスチックのようなポリマー材料で実現され、駆動部１２が透明トランジスタで実現され、ディスプレイパネル１３が透明有機発光層および透明電極で実現される場合には、透明性を有してよい。
【００３６】
透明トランジスタとは、既存の薄膜トランジスタの不透明なシリコンを透明な亜鉛酸化物、酸化チタニウム等のような透明物質に代替して製作したトランジスタを意味する。なお、透明電極は、ＩＴＯ（Ｉｎｄｉｕｍ  Ｔｉｎ  Ｏｘｉｄｅ）やグラフェンのような新素材が使用されてよい。グラフェンとは、炭素原子が互いに連結され、蜂の巣模様の平面構造をなしつつ、透明な材質を有する物質を意味する。その他に、透明有機発光層も多様な材料で実現されてよい。
【００３７】
フレキシブルディスプレイ装置は、外部圧力によって、その形が変形されてよい。ここで、変形は、ベンディング、フォールディングおよびローリングされる場合を含む。一般的なベンディング（ｂｅｎｄｉｎｇ）とは、フレキシブルディスプレイ装置が曲げられる状態をいう。
【００３８】
フォールディング（Ｆｏｌｄｉｎｇ）は、フレキシブルディスプレイ装置が畳まれた状態を意味する。ここで、フォールディングおよびベンディングは、変形の度合いに応じて区分されてよい。仮に、一定な曲率半径以上で変形が行われる場合、変形をフォールディングと定義し、一定のベンディング角度未満で変形が行われる場合、変形をベンディングと定義してよい。
【００３９】
ローリング（Ｒｏｌｌｉｎｇ）は、フレキシブルディスプレイ装置が巻かれた状態を意味する。ローリングも変形の度合い、例えば、ベンディング角度を基準に判断されてよい。例えば、一定の曲率半径以上の変形が一定領域に跨って検知される状態をローリングと定義してよい。ただ、一定のベンディング角度未満の変形がローリングに比べて相対的に小さい領域から検知される状態をフォールディングと定義してよい。上述の一般のベンディング、フォールディング、ローリング等は、ベンディング角度以外に、曲率半径に基づいて判定されてよい。
【００４０】
なお、曲率半径によらず、フレキシブルディスプレイ装置１００が巻かれた断面が、概ね（ｓｕｂｓｔａｎｔｉａｌｌｙ）円や楕円に近い形状を有する状態をローリングと定義してよい。
【００４１】
ただ、以上のような多様な形の変形例は、一例に過ぎず、フレキシブルディスプレイ装置の種類や大きさ、重さ、特徴等に応じて異なるように定義されてよい。仮に、フレキシブルディスプレイ装置１００の表面が相接する程度にベンディングが可能であれば、フォールディングは、ベンディングと同時に装置表面が互いに接触する状態と定義されてよい。一方、ローリングは、フレキシブルディスプレイ装置の前面と背面とが互いに接触する状態に定義されてよい。
【００４２】
フレキシブルディスプレイ装置１００は、多様な方式で変形を検知することができる。
【００４３】
一例として、検知部（図示せず）は、ディスプレイ部１１０の前面や背面のような一方の表面に配置された変形センサ（ｄｅｆｏｒｍａｔｉｏｎ  ｓｅｎｓｏｒ）、または両面双方に配置された変形センサを含んでよい。
【００４４】
ここで、変形センサとは、変形自在であり、変形具合に応じて抵抗値が異なるという特性をもつセンサを意味する。変形センサとは、光繊維ベンディングセンサや圧力センサ、ストレインゲージ（ｓｔｒａｉｎ  ｇａｕｇｅ）等のように多様な形態で実現されてよい。
【００４５】
検知部（図示せず）は、変形センサに印加される電圧の大きさまたは変形センサを流れる電流の大きさを用いて変形センサの抵抗値を検知し、その抵抗値の大きさに応じて当該変形センサの位置における変形状態を検知することができる。
【００４６】
図２は、本発明の一実施形態に係る変形センサの配置形態を説明するための図である。
【００４７】
図２（ａ）では、変形センサがディスプレイ部１１０の前面に内蔵された状態を示しているが、それは一例に過ぎず、変形センサはディスプレイ部１１０の背面に内蔵されてよく、両面いずれにも内蔵されてよい。なお、変形センサの形、数および配置位置も多様に変更されてよい。例えば、ディスプレイ部１１０には、一つの変形センサまたは複数個の変形センサが結合されてよい。ここで、一つの変形センサは、一つの変形データを検知するものであってよいが、一つの変形センサが複数の変形データを検知する複数のセンシングチャネルを有するものであってよい。
【００４８】
図２（ａ）では、複数個のバー状の変形センサが横方向および縦方向に配置されて格子状をなす例を示している。
【００４９】
図２（ａ）に示すように、変形センサは第１方向に並んでいる変形センサ２１−１ないし２１−５および第１方向に垂直の第２方向に並んでいる変形センサ２２−１ないし２２−５を含む。各変形センサは、互いに一定間隔だけ離隔配置されてよい。
【００５０】
図２（ａ）においては、横および縦方向の各々に、５つずつ変形センサ２１−１ないし２１−５、２２−１ないし２２−５が配置されるものとして示しているが、それは一例に過ぎず、無論、フレキシブルディスプレイ装置の大きさ等に応じて変形センサの個数は変更されてよい。このように、変形センサが横および縦方向に配置されるのは、フレキシブルディスプレイ装置の全域において行われる変形を検知するためのものであるため、一部分のみがフレキシブルな特性を有したり、一部分に対してのみベンディングを検知する必要のある装置である場合には、当該部分にのみ変形センサが配置されてよい。
【００５１】
各変形センサ２１−１ないし２１−５、２２−１ないし２２−５は、電気抵抗を利用する電気抵抗式センサまたは光繊維の変形率を利用するマイクロ光繊維センサ形態で実現されてよい。以下においては、説明の便宜のために、変形センサが電気抵抗式センサで実現される場合を想定して説明する。
【００５２】
具体的に、図２（ｂ）のように、フレキシブルディスプレイ装置１００の左右両側の周縁を基準に、その中心に位置した中心領域が下方を向くように変形された場合、ベンディングによる張力が、横方向に配置された変形センサ２１−１ないし２１−５にかかる。それにより、横方向に配置された各変形センサ２１−１ないし２１−５の抵抗値が異なるようになる。検知部（図示せず）は、各変形センサ２１−１ないし２１−５から出力される出力値の変化を検知し、ディスプレイ表面の中心を基準に、横方向にベンディングが行われたことを検知することができる。図２（ｂ）においては、中心領域がディスプレイ表面を基準に垂直の下方（以下では、Ｚ−方向という）にベンディングされた状態を示しているが、ディスプレイ表面を基準に垂直の上方（以下では、Ｚ＋方向という）にベンディングされた場合にも、横方向の変形センサ２１−１ないし２１−５の出力値の変化に基づいて検知することができる。
【００５３】
なお、図２（ｃ）のように、フレキシブルディスプレイ装置１００の形が上下側の周縁を基準に、その中心に位置した中央領域が上方を向くようにベンディングされた場合、張力が縦方向に配置された変形センサ２２−１ないし２２−５にかかるようになる。検知部（図示せず）は、縦方向に配置された変形センサ２２−１ないし２２−５の出力値に基づいて縦方向の形の変形を検知することができる。図２（ｃ）においては、Ｚ＋方向の変形を示しているが、Ｚ−方向の変形も縦方向に配置された変形センサ２２−１ないし２２−５を用いて検知することができる。
【００５４】
一方、対角線方向の形の変形である場合、張力は横および縦方向に配置された変形センサの全てにかかるため、横および縦方向に配置された変形センサの出力値に基づいて対角線方向の形の変形も検知することができる。
【００５５】
図３は、本発明の一実施形態に係るベンドセンサの配置形態を説明するための図である。
【００５６】
図３（ａ）は、一つの変形センサをディスプレイ部１１０の片面に配置し、変形を検知する構成の一例を示す。図３（ａ）によると、変形センサ７１は円形や四角、その他の多角形をなす閉曲線状に実現され、ディスプレイ部１１０の周縁に配置されてよい。フレキシブルディスプレイ装置は、閉曲線上で出力値の変化が検知される地点をベンディング領域と判断することができる。
【００５７】
図３（ｂ）は、二つの変形センサが互いに交差するように配置した実施形態を示す。図３（ｂ）によると、第１変形センサ７１は、ディスプレイ部１１０の第１面に配置され、第２変形センサ７２は、ディスプレイ部１１０の第２面に配置される。第１変形センサ７１は、ディスプレイ部１１０の第１面上で第１対角線方向に配置され、第２変形センサ７２は、第２面で第２対角線方向に配置される。それにより、各角領域がベンディングされる場合、各周縁領域がベンディングされる場合、中央部がベンディングされる場合、フォールディングまたはローリングが行われる場合等のような多様な変形条件別に、第１および第２変形センサ７１、７２の出力値および出力地点が異なるようになるため、フレキシブルディスプレイ装置は、このような出力値特性に応じてどのような類型の変形が行われたか判断することができる。
【００５８】
一方、上述の多様な実施形態では、ライン状の変形センサが使用される場合を示しているが、断片的なストレインゲージを複数個使用して変形を検知することもできる。
【００５９】
図３（ｃ）および図３（ｄ）は、複数のストレインゲージを使用してベンディングを検知する実施形態を示す図である。ストレインゲージは、かかる力の大きさに応じて抵抗が大きく変わる金属または半導体を用いて、その抵抗値変化に応じて測定対象物の表面の変形を検知するものである。一般的に、金属のような材料は、外部からの力に応じて長くなると抵抗値が増加し、長さが短くなると抵抗値が減少する特性がある。よって、抵抗値変化を検知すると、変形が行われたか否かを判断することができる。
【００６０】
図３（ｃ）によると、ディスプレイ部１１０の周縁領域には複数のストレインゲージが配置される。ストレインゲージの数は、ディスプレイ部１１０のサイズや形、予め設定された変形検知解像度等によって異なってよい。
【００６１】
図３（ｃ）のように、ストレインゲージが配置された状態で、ユーザは任意の地点を任意の方向にベンディングさせることができる。例えば、図３（ｄ）のように、一角領域がベンディングされる場合、横方向に配置されたストレインゲージ８０−１〜８０−ｎの中で、ストレインゲージ８０−ｘに力が作用する。それにより、当該ストレインゲージ８０−ｘの出力値が他ストレインゲージの出力値より大きくなる。なお、縦方向に配置されたストレインゲージ８０−ｎ、８０−ｎ＋１、〜８０−ｍの中で、ストレインゲージ８０−ｙに力が作用し、出力値が変わるようになる。フレキシブルディスプレイ装置は、出力値が変わった両ストレインゲージ８０−ｘ、８０−ｙを連結するラインをベンディングラインと判断することもできる。一方、複数のセンサの間の補間（ｉｎｔｅｒｐｏｌａｔｉｏｎ）が行われ、ベンディングラインを判断することができ、センサから出力される値をスムージング（ｓｍｏｏｔｈｉｎｇ）してベンディングラインは直線で近似化されてよい。
【００６２】
以下では、ベンディングと、フォールディングおよびローリング等の変形形状を検知する具体的な方法について説明する。
【００６３】
図４は、本発明の一実施形態において、変形センサを用いてフレキシブルディスプレイ装置から変形を検知する方法を説明するための図である。
【００６４】
まず、図４（ａ）は、フレキシブルディスプレイ装置が変形されたとき、フレキシブルディスプレイ装置１００の断面図を示す。
【００６５】
フレキシブルディスプレイ装置１００がベンディングされると、フレキシブルディスプレイ装置の片面または両面に配置された変形センサも同時に曲がり、かかる張力の強度に対応する抵抗値を有し、それに対応する出力値を出力する。
【００６６】
例えば、図４（ａ）のように、フレキシブルディスプレイ装置１００がベンディングされると、フレキシブルディスプレイ装置１００の背面に配置された変形センサ３１−１も曲がり、かかる張力の大きさによる抵抗値を出力する。
【００６７】
この場合、張力の強度は、変形の度合いに比例して大きくなる。仮に、図４（ａ）のように変形が行われると、中心領域のベンディングの度合いが最も大きくなる。すなわち、最も大きい張力を受ける部分が、最も大きくベンディングされた部分と判断されてよい。よって、中心領域であるａ３地点に配置された変形センサ４１−１に最も大きい張力がかかるようになり、それにより、変形センサ４１−１が最も大きい抵抗力を有するようになる。一方、外方向、すなわち、フレキシブルディスプレイ装置１００の周縁に進むほど、ベンディングの度合いが弱くなる。それにより、変形センサ４１−１はａ３地点から遠ざかるほど、ａ３地点より小さい抵抗値を有するようになる。
【００６８】
検知部（図示せず）は、変形センサから出力される抵抗値が特定地点で最大値をもって、両方向に進むほど出力される抵抗値が次第に小さくなると、最大の抵抗値が検出された領域が最も大きいベンディングが行われた領域と判断することができる。なお、検知部（図示せず）は、抵抗値が変わらない領域は、ベンディングが行われていないフラット（ｆｌａｔ）領域と判断し、抵抗値が一定の大きさ以上変化した領域は、変形が少しでも行われたベンディング領域と判断することができる。
【００６９】
図４（ｂ）および図４（ｃ）は、本発明の一実施形態において、ベンディング領域を定義する方法を説明するための図である。図４（ｂ）および図４（ｃ）の場合、フレキシブルディスプレイ装置が前面を基準に横方向にベンディングされた場合を説明するための図であるため、説明の便宜上、縦方向に配置されるベンディングセンサは示していない。なお、説明の便宜上、各変形センサに対する図面における符号は、図面ごとに異なるように付しているが、実際には、図２（ａ）に示す変形センサがそのまま利用されてよい。
【００７０】
ベンディング領域は、フレキシブルディスプレイ装置が曲がっている領域を意味する。フレキシブルディスプレイ装置１００がベンディングされると、変形センサが曲がるようになるため、ベンディング領域は、元の状態における抵抗値、すなわち、変形が施されていないときの抵抗値とは異なる抵抗値を出力する変形センサが配置された全地点に定義されてよい。
【００７１】
検知部（図示せず）は、抵抗値変化が検知された地点との関係に基づいて、ベンディングラインの大きさ、ベンディングラインの方向、ベンディングラインの位置、ベンディングラインの個数、ベンディングの回数、ベンディングの速度、ベンディング領域の大きさ、ベンディング領域の位置、ベンディング領域の個数等を検知することができる。
【００７２】
具体的に、抵抗値変化が検知された地点の間の距離が予め設定された距離内であれば、抵抗値を出力する地点を一つのベンディング領域と検知する。一方、抵抗値変化が検知された地点のうち、その間の距離が予め設定された距離以上に離隔している地点が存在すると、これらの地点を基準に互いに異なるベンディング領域に区分して定義することができる。より具体的な説明のために、図４（ｂ）および図４（ｃ）を参照する。
【００７３】
図４（ｂ）は、一つのベンディング領域を検知する方法を説明するための図である。図４（ｂ）でのように、フレキシブルディスプレイ装置１００がベンディングされると、変形センサ４１−１のａ１地点からａ５地点まで、変形センサ４１−２のｂ１地点からｂ５地点まで、変形センサ４１−３のｃ１地点からｃ５地点まで、変形センサ４１−４のｄ１地点からｄ５地点まで、変形センサ４１−５のｅ１地点からｅ５地点まで、変形が行われていない元の状態とは異なる抵抗値を有するようになる。
【００７４】
この場合、各変形センサ４１−１ないし４１−５において、抵抗値変化が検知された地点は、互いに予め設定された距離内に位置して連続して配置され、ベンディング領域を定義することができる。
【００７５】
よって、検知部（図示せず）は、変形センサ４１−１でａ１地点からａ５地点まで、変形センサ４１−２でｂ１地点からｂ５地点まで、変形センサ４１−３でｃ１地点からｃ５地点まで、変形センサ４１−４でｄ１地点からｄ５地点まで、変形センサ４１−５でｅ１地点からｅ５地点までの全てを含む領域４２を一つのベンディング領域に検知する。
【００７６】
図４（ｃ）は、複数のベンディング領域を検知する方法を説明するための図である。
【００７７】
図４（ｃ）においては、フレキシブルディスプレイ装置のベンディングに応じて、変形センサ４１−１のａ１地点からａ２地点まで、およびａ４地点からａ５地点まで、変形センサ４１−２のｂ１地点からｂ２地点まで、およびｂ４地点からｂ５地点まで、変形センサ４１−３のｃ１地点からｃ２地点まで、およびｃ４地点からｃ５地点まで、変形センサ４１−４のｄ１地点からｄ２地点まで、およびｄ４地点からｄ５地点まで、変形センサ４１−５のｅ１地点からｅ２地点まで、およびｅ４地点からｅ５地点まで、元の状態とは異なる抵抗値を有するようになる。
【００７８】
変形センサ４１−１で、ａ１地点からａ２地点まで、およびａ４地点からａ５地点までは、各地点を基準にしてみると、各々連続しているが、ａ２地点およびａ４地点の間には、ａ３地点が存在するため、ａ２地点からａ４地点までは連続していない。よって、ａ２地点からａ４地点までの間の距離が予め設定された距離だけ離隔していることから、ａ１地点からａ２地点までとａ４地点からａ５地点までのとは、互いに異なるベンディング領域に区分されてよい。すなわち、ａ１地点からａ２地点までは第１ベンディング領域、ａ４地点からａ５地点までは第２ベンディング領域に区分されてよい。
【００７９】
なお、別の変形センサ４１−２ないし４１−５の各地点も、それと同様に区分されてよい。
【００８０】
よって、フレキシブルディスプレイ装置１００は、変形センサ４１−１でａ１地点からａ２地点まで、変形センサ４１−２でｂ１地点からｂ２地点まで、変形センサ４１−３でｃ１地点からｃ２地点まで、変形センサ４１−４でｄ１地点からｄ２地点まで、変形センサ４１−５でｅ１地点からｅ２地点までのすべてを含む領域４４を第１ベンディング領域と定義し、変形センサ４１−１でａ４地点からａ５地点まで、変形センサ４１−２でｂ４地点からｂ５地点まで、変形センサ４１−３でｃ４地点からｃ５地点まで、変形センサ４１−４でｄ４地点からｄ５地点まで、変形センサ４１−５でｅ４地点からｅ５地点までのすべてを含む領域４５を第２ベンディング領域と定義してよい。
【００８１】
一方、ベンディングラインはベンディング領域内に配置されてよい。ベンディングラインとは、各ベンディング領域から最も大きい抵抗値が検出された地点を連結するラインと定義されてよい。ベンディングラインは、各変形センサで最大の抵抗値を有する地点を連結するラインか、隣接する少なくとも２つの変形センサまたは最外郭に配置された少なくとも２つの変形センサで最大の抵抗値を有する地点を連結するラインであってよい。
【００８２】
仮に、図４（ｂ）の場合、変形センサ４１−１から最も大きい抵抗値を出力するａ３地点、変形センサ４１−２から最も大きい抵抗値を出力するｂ３地点、変形センサ４１−３から最も大きい抵抗値を出力するｃ３地点、変形センサ４１−４から最も大きい抵抗値を出力するｄ３地点、変形センサ４１−５から最も大きい抵抗値を出力するｅ３地点を連結するライン４３をベンディングラインと定義してよい。図４（ｂ）においては、ベンディングラインがディスプレイ表面の中央領域で縦方向に形成された状態を示す。
【００８３】
なお、図４（ｃ）の場合、変形センサ４１−１から最も大きい抵抗値を出力するａ１地点、変形センサ４１−２から最も大きい抵抗値を出力するｂ１地点、変形センサ４１−３から最も大きい抵抗値を出力するｃ１地点、変形センサ４１−４から最も大きい抵抗値を出力するｄ１地点、変形センサ４１−５から最も大きい抵抗値を出力するｅ１地点を連結するライン４６を、一つのベンディングラインとしてよい。なお、変形センサ４１−１から最も大きい抵抗値を出力するａ５地点、変形センサ４１−２から最も大きい抵抗値を出力するｂ５地点、変形センサ４１−３から最も大きい抵抗値を出力するｃ５地点、変形センサ４１−４から最も大きい抵抗値を出力するｄ５地点、変形センサ４１−５から最も大きい抵抗値を出力するｅ５地点を連結するライン４６を、もう一つのベンディングラインとしてよい。すなわち、図４（ｃ）においては、ディスプレイ表面の左右側の周縁付近で二つの縦方向ベンディングラインが形成された状態を示す。
【００８４】
図５は、フレキシブルディスプレイ装置が、フォールディング（ｆｏｌｄｉｎｇ）された状態を検知する方法の一例を説明するための図である。
【００８５】
まず、図５（ａ）は、フレキシブルディスプレイ装置１００がフォールディングされた際の断面図を示す。
【００８６】
フレキシブルディスプレイ装置がフォールディングされると、フレキシブルディスプレイ装置の片面または両面に配置された変形センサも同時にフォールディングされ、かかる張力の強度に対応する抵抗値を有するようになる。
【００８７】
例えば、図５（ａ）のように、フレキシブルディスプレイ装置１００の右側の周縁領域が中央に向かう形でフォールディングされると、フレキシブルディスプレイ装置１００の背面に配置された変形センサ５１−１もフォールディングされ、かかる張力の強度による抵抗値を出力する。
【００８８】
すなわち、ベンディングされた場合と同様に、変形センサ５１−１はかかる張力の強度が最も強いａ３地点で最も大きい抵抗値を有するようになり、ａ３地点から遠ざかるほど、少ない抵抗値を有するようになる。すなわち、変形センサ５１−１はａ３地点を基準にａ２、ａ１地点に進むほど、または、ａ４、ａ５地点に進むほどａ３地点より小さい抵抗値を有するようになる。
【００８９】
一方、フレキシブルディスプレイ装置がフォールディングされたり、一定のベンディング角度以上にベンディングされると、ベンディングラインに該当する地点では、抵抗値が一定の大きさ以上の大きさでセンシングされる。よって、フレキシブルディスプレイ装置は、抵抗値の大きさに応じて、変形がフォールディングか、ベンディングかを判断することができる。
【００９０】
または、フレキシブルディスプレイ装置１００の同一の表面が互いに相接する程度にベンディングが可能であれば、フレキシブルディスプレイ装置は、さらに、タッチが行われるかを考慮し、フォールディングかを判断することもできる。すなわち、図５（ａ）のように、フレキシブルディスプレイ装置１００の右側の周縁がＺ＋方向にベンディングされて前方にフォールディングされると、フレキシブルディスプレイ装置１００の前面で互いに離隔している領域が接触するようになる。この場合、ディスプレイ表面の一領域からタッチが検知され、抵抗値の変化の度合いもベンディングの場合より更に大きくなる。それにより、フレキシブルディスプレイ装置は、ベンディングが行われた周縁の境界からベンディングラインまでの距離を算出した後、ベンディングラインを基準に反対方向に算出された距離だけ離隔している地点からタッチが検知されると、フォールディングが行われたと判断することができる。図５（ｂ）は、本発明の一実施形態において、フォールディング領域を判断する方法を説明するための図である。図５（ｂ）の場合、フレキシブルディスプレイ装置が前面を基準に横方向にフォールディングされた場合を説明するための図であるため、説明の便宜上、縦方向に配置される変形センサは示していない。
【００９１】
フォールディング領域は、フレキシブルディスプレイ装置がフォールディングされることにより形成される曲がっている領域として、変形センサが曲がることにより元の状態とは異なる抵抗値を出力する変形センサの全地点を含む一つまたは二つ以上の領域に定義されてよい。フォールディング領域を定義する方式は、ベンディング領域の場合と同様であることから、繰り返し説明は省略する。
【００９２】
図５（ｂ）を参照すると、出力される抵抗値が元の状態とは異なる地点、すなわち、変形センサ５１−１でａ１地点からａ５地点まで、変形センサ５１−２でｂ１地点からｂ５地点まで、変形センサ４１−３でｃ１地点からｃ５地点まで、変形センサ４１−４でｄ１地点からｄ５地点まで、変形センサ４１−５でｅ１地点からｅ５地点までの全てを含む領域５２を一つのフォールディング領域と定義してよい。
【００９３】
フォールディング領域は、フォールディングラインを基準に二つに区分されてよい。フォールディングラインは、各フォールディング領域から最も大きい抵抗値を出力する地点を連結するラインに定義されてよい。
【００９４】
図５（ｂ）の場合、フォールディング領域５２において、変形センサ５１−１から最も大きい抵抗値を出力するａ３地点、変形センサ５１−２から最も大きい抵抗値を出力するｂ３地点、変形センサ５１−３から最も大きい抵抗値を出力するｃ３地点、変形センサ５１−４から最も大きい抵抗値を出力するｄ３地点、変形センサ５１−５から最も大きい抵抗値を出力するｅ３地点を連結するライン５３がフォールディングラインとなる。
【００９５】
フォールディングが検知された場合、フレキシブルディスプレイ装置は、ベンディング時の動作と異なる動作を行うことができる。仮に、各フォールディング領域に対して互いに異なるコンテンツ画面をディスプレイする等の動作を行うことができる。
【００９６】
一方、上述のように、フレキシブルディスプレイ装置１００は、紙のようにローリングされてよい。フレキシブルディスプレイ装置は、検知部（図示せず）から検知された結果を用いてローリングが行われたかを判断することができる。
【００９７】
図６は、フレキシブルディスプレイ装置がローリングを検知する方法を説明するための図である。
【００９８】
まず、図６（ａ）は、フレキシブルディスプレイ装置１００がローリングされた際の断面図を示す。
【００９９】
上述のように、フレキシブルディスプレイ装置１００がローリングされると、フレキシブルディスプレイ装置の片面または両面に配置された変形センサに張力が作用する。
【０１００】
この場合、変形センサにかかる張力の強度は、一定の範囲内で互いに近似していると見なすことができるため、変形センサから出力される抵抗値も一定の範囲内で互いに近似するようになる。
【０１０１】
ローリングが行われると、ベンディングは一定の曲率以上で行われてよい。なお、ローリングが行われると、ベンディングやフォールディングの場合より、ベンディング領域が更に大きく形成される。それにより、フレキシブルディスプレイ装置は、一定のベンディング角度以上のベンディングが一定の大きさ以上の領域で連続的に行われたと検知されると、ローリング状態と判断することができる。なお、ローリング状態では、フレキシブルディスプレイ装置の前面と背面が互いに接触するようになる。例えば、図６（ａ）のように、フレキシブルディスプレイ装置６０の片側の周縁がＺ＋方向にベンディングされてディスプレイ表面の内側にローリングされると、ディスプレイ表面、すなわち、前面と変形センサ６０−１が配置された背面とは互いに接触するようになる。
【０１０２】
よって、上述のような別の例では、フレキシブルディスプレイ装置は、フレキシブルディスプレイ装置の前面および背面が互いに接触するか否かに応じて、ローリング状態かを判断することもできる。この場合、検知部（図示せず）は、タッチセンサを具備することができる。フレキシブルディスプレイ装置は、変形センサから出力される抵抗値が一定の範囲内で互いに近似していて、フレキシブルディスプレイ装置の前面および背面に配置されたタッチセンサから各々タッチが検知されると、フレキシブルディスプレイ装置がローリングされたものと判断されてよい。なお、フレキシブルディスプレイ装置は、タッチセンサの代わりに、マグネチックと地磁気センサ、光センサまたは近接センサ等を用いて、フレキシブルディスプレイ装置が曲がり、フレキシブルディスプレイ装置の一部の領域間の接触または近接しているか否かを判断することもできる。
【０１０３】
図６（ｂ）および図６（ｃ）は、本発明の一実施形態においてローリング領域を定義する方法を説明するための図である。
【０１０４】
ローリング領域は、フレキシブルディスプレイ装置がローリング状態となる領域を意味する。ローリング領域も、ベンディングおよびフォールディングの場合のように、元の状態とは異なる抵抗値を出力する変形センサの全地点を含む一つまたは二つ以上の領域と定義されてよい。ローリング領域を定義する方式は、ベンディングおよびフォールディング領域と同様であることから、繰り返し説明は省略する。
【０１０５】
図６（ｂ）のように、フレキシブルディスプレイ装置６０がローリングされると、フレキシブルディスプレイ装置の全領域６１がローリング領域と定義されてよく、図６（ｂ）のように、フレキシブルディスプレイ装置１００が部分的にローリングされ、元の状態とは異なる抵抗値を出力する地点が予め設定された距離だけ離隔している場合であれば、フレキシブルディスプレイ装置の一部の領域６２、６３が互いに異なるローリング領域と定義されてよい。すなわち、第１ローリング領域６２および第２ローリング領域６３と定義してよい。
【０１０６】
以上のように、フレキシブルディスプレイ装置１００は、多様な形で変形されてよく、フレキシブルディスプレイ装置は、検知部（図示せず）の検知結果に基づいて各変形の形態を検知することができる。なお、フレキシブルディスプレイ装置は、検知部（図示せず）の検知結果に基づいて、ベンディングがどのくらい行われたか、すなわち、ベンディングの角度も検出することができる。
【０１０７】
一方、図示はしていないが、フレキシブルディスプレイ装置１００は、変形センサから一定の間隔おきに出力される抵抗値の大きさの変化を用いて、フレキシブルディスプレイ装置がベンディングされた度合いを判断する。具体的に、変形センサから最も大きい抵抗値を出力する地点の抵抗値と、その地点から所定距離だけ離隔している地点から出力された抵抗値との間の差を算出する。
【０１０８】
そして、算出された抵抗値の差を用いてベンディングされた度合いを判断することができる。具体的に、フレキシブルディスプレイ装置は、ベンディングされた度合いを複数のレベルで区分し、各レベルごとに一定の範囲を有する抵抗値をマッチさせて保存することができる。
【０１０９】
それにより、フレキシブルディスプレイ装置は、算出された抵抗値の差がベンディングされた度合いに応じて、区分された複数のレベルの中で、属するレベルに応じてフレキシブルディスプレイ装置のベンディングの度合いを判断することができる。
【０１１０】
一方、フレキシブルディスプレイ装置は、ベンディングの度合いに応じて適切な動作を行うことができる。仮に、チャネルザッピング（ｚａｐｐｉｎｇ）動作を行う場合、ベンディングの度合いが大きい場合、チャネルザッピング速度を速めたり、チャネルザッピング範囲を更に大きくすることができる。一方、ベンディングの度合いが低い場合、より遅く、より小さいチャネル個数単位でチャネルザッピングを行うことができる。音量調節やコンテンツ転換等の動作時にも、ベンディングの度合いに応じて異なるように動作を行うことができる。
【０１１１】
一方、上述のように、フレキシブルディスプレイ装置１００のベンディング方向は、Ｚ＋方向またはＺ−方向のように異なってよい。
【０１１２】
ベンディング方向も多様な方式でセンシングされてよい。一例として、変形センサを二つに重畳して配置し、各変形センサの抵抗値の大きさの変化の差に応じて、ベンディング方向を判断することができる。
【０１１３】
図７は、本発明の位置実施形態に係る重畳された変形センサを用いてベンディング方向を検知する方法について説明する。
【０１１４】
説明の便宜上、図７（ａ）ないし図７（ｃ）においては、ベンディングの場合を例えて説明する。しかし、フォールディングおよびローリングの場合にも、ベンディングと同様に、適用可能である。
【０１１５】
図７（ａ）によると、ディスプレイ装置１１０の片側には二つの変形センサ７１、７２が互いに重畳して設けられてよい。この場合、片側方向にベンディングが行われるようになると、ベンディングが行われた地点から、上位変形センサ７１および下位変形センサ７２の抵抗値が異なるように検出される。よって、同じ地点における両変形センサ７１、７２の抵抗値を比較すると、ベンディング方向を把握することができる。
【０１１６】
具体的に、図７（ａ）のように、フレキシブルディスプレイ装置１００がＺ＋方向にベンディングされると、ベンディングラインに該当するＡ地点において、上方変形センサ７１より下方変形センサ７２により大きい強度の張力がかかるようになる。
【０１１７】
それとは逆に、図７（ｂ）のように、フレキシブルディスプレイ装置１００が背面方向にベンディングされると、上方変形センサ７１で下方変形センサ７２より更に大きい強度の張力がかかるようになる。
【０１１８】
よって、フレキシブルディスプレイ装置は、両変形センサ７１、７２で、Ａ地点に該当する抵抗値を比較し、ベンディング方向を検知することができる。
【０１１９】
図７（ａ）ないし図７（ｃ）においては、両変形センサがディスプレイ部１１０の片側で互いに重畳されて配置された状態を示しているが、変形センサはディスプレイ部１１０の両面に配置されてよい。
【０１２０】
図７（ｄ）は、両変形センサ７１、７２が、ディスプレイ部１１０の両面に配置された状態を示す。
【０１２１】
それにより、フレキシブルディスプレイ装置１００が、画面から垂直の第１方向（以下、Ｚ＋方向）にベンディングされる際は、ディスプレイ部１１０の両面のうち、第１面に配置された変形センサは圧縮力を受けるようになる一方、第２面に配置された変形センサは張力を受けるようになる。一方、第１方向の反対である第２方向（以下、Ｚ−方向という）にベンディングされる際は、第２面に配置された変形センサは圧縮力を受けるようになる一方、第１面に配置された変形センサは張力を受けるようになる。このように、ベンディング方向に沿って両変形センサから検知される値は、互いに異なるように検出され、フレキシブルディスプレイ装置は、その値の検出特性に応じてベンディング方向を区分することができる。
【０１２２】
一方、図７（ａ）ないし図７（ｄ）においては、二つの変形センサを用いてベンディング方向を検知するものとして説明したが、ディスプレイ部１１０の片面に配置されたストレインゲージだけでも、ベンディング方向を区分することもできる。すなわち、片面に配置されたストレインゲージは、そのベンディング方向に沿って圧縮力または引張力がかかるため、その出力値の特性を確認すると、ベンディング方向を把握することができるようになる。
【０１２３】
図８は、本発明の一実施形態に係る変形方向検知方法を説明するための図である。ここで、変形は、ベンディングであるとして仮定する。
【０１２４】
図８（ａ）および図８（ｂ）は、このようなセンサの一例として、加速度センサを用いてベンディング方向を検知する方法を説明するための図である。図８（ａ）および図８（ｂ）によると、フレキシブルディスプレイ装置１００は、複数の加速度センサ８１−１、８１−２を含む。
【０１２５】
加速度センサ８１−１、８１−２は、動きが発生したとき、加速度および加速度の方向を測定することができるセンサである。具体的には、加速度センサ８１−１、８１−２は、そのセンサの付着された装置の勾配に応じて変化する重力加速度に対応するセンシング値を出力する。よって、フレキシブルディスプレイ装置の両側の周縁領域に加速度センサ８１−１、８１−２を各々配置すると、フレキシブルディスプレイ装置が変形される際、各加速度センサ８１−１、８１−２でセンシングされる出力値が変化する。フレキシブルディスプレイ装置は、各加速度センサ８１−１、８１−２でセンシングされる出力値を用いてピッチ角（ｐｉｔｃｈ  ａｎｇｌｅ）およびロール角（ｒｏｌｅ  ａｎｇｌｅ）を演算する。それにより、各加速度センサ８１−１、８１−２から検知されたピッチ角およびロール角の変化の度合いに基づいてベンディング方向を判断することができる。
【０１２６】
一方、図８（ａ）においては、フレキシブルディスプレイ装置１００が前面を基準に横方向の両側の周縁に加速度センサ８１−１、８１−２が配置された状態を示しているが、図８（ｂ）のように、縦方向に配置されてよい。この場合、フレキシブルディスプレイ装置１００が縦方向に変形されると、縦方向の各加速度センサ８１−３、８１−４から検知した測定値に応じて変形方向を検知することができる。
【０１２７】
図８（ａ）および図８（ｂ）は、フレキシブルディスプレイ装置１００の左右側の周縁または上下側の周縁に加速度センサが配置された状態を示しているが、加速度センサは、上下左右側の周縁のいずれにも配置されてよく、角領域に配置されてよい。
【０１２８】
上述のように、加速度センサ以外にジャイロセンサや地磁気センサを用いて変形方向を検知することもできる。ジャイロセンサは、回転運動が生じると、その速度方向に作用するコリオリの力を測定し、角速度を検出するセンサである。ジャイロセンサの測定値によると、どの方向に回転されたかを検出することができるため、変形方向を検知することができる。地磁気センサは、２軸または３軸フラックスゲートを用いて方位角を検知するセンサである。地磁気センサで実現された場合、フレキシブルディスプレイ装置１００の各周縁部分に配置された地磁気センサは、その周縁部分がベンディングされると、位置移動が行われるようになり、それによる地磁気変化に対応する電気信号を出力する、フレキシブルディスプレイ装置は、地磁気センサから出力される値を用いてヨー角（ｙａｗ  ａｎｇｌｅ）を算出することができる。それにより、算出されたヨー角の変化に応じて、ベンディング領域およびベンディング方向等のような多様な変形特性を判断することができる。
【０１２９】
以上のように、フレキシブルディスプレイ装置は、多様なセンサを用いて変形を検知することができる。上述のセンサの構成およびセンシング方法は、個別的にフレキシブルディスプレイ装置１００に適用されてよく、互いに組み合わせられて適用されてよい。
【０１３０】
一方、検知部（図示せず）は、ベンディング以外に、ユーザがディスプレイ部１１０の画面をタッチする操作も検知することができる。
【０１３１】
仮に、検知部（図示せず）は、ディスプレイ部１１０内の基板１１１上に蒸着されたＩＴＯ（Ｉｎｄｉｕｍ−Ｔｉｎ  Ｏｘｉｄｅ）のような透明電導膜およびその上側に形成されたフィルムを含んでよい。それにより、ユーザが画面をタッチすると、タッチされた地点の上下板が接触し、電気信号が制御部１３０に伝達される。制御部１３０は、電気信号が伝達された電極の座標を用いて、タッチ地点を認識する。タッチ検知方式については、多様な先行文献を通じて公知となっているため、これ以上の具体的な説明は省略する。
【０１３２】
フレキシブルディスプレイ装置は、タッチや変形等が検知された場合、そのタッチや変形のようなユーザ操作が意図されたものか否かを判断する。以下では、本発明の多様な実施形態によって、ユーザ操作の意図を判断する方法について具体的に説明する。
【０１３３】
図９は、本発明の多様な実施形態に係る制御システムの実現例を説明するための図である。
【０１３４】
本発明の多様な実施形態に係る制御システムは、フレキシブルディスプレイ装置１０と、電子装置２００およびサーバ３００を含んでよく、以下では各実施形態を区分して説明を進める。
【０１３５】
図９（ａ）に示すように、本発明の一実施形態に係る制御システムは、フレキシブルディスプレイ装置１００および電子装置２００を含んでよい。
【０１３６】
フレキシブルディスプレイ装置１００は、予め設定されたイベントが発生すると、フレキシブルディスプレイ装置１００は、電子装置２００と通信を行い、電子装置２００を制御する機能を実行する。ここで、予め設定されたイベントは、フレキシブルディスプレイ装置１００または電子装置２００上で発生したイベントであってよい。例えば、フレキシブルディスプレイ装置１００から電子装置２００を被制御機器に選択するためのユーザ命令が受信された場合であってよい。すなわち、ユーザがフレキシブルディスプレイ装置１００を介して電子装置２００を制御することを望む場合であってよい。
【０１３７】
ここで、フレキシブルディスプレイ１００は、携帯電話やタブレット、ＰＤＡ（Ｐｅｒｓｏｎａｌ  Ｄｉｇｉｔａｌ  Ａｓｓｉｓｔａｎｔ）、ＭＰ３プレーヤ、ｅ−Ｂｏｏｋ、超小型パソコン、スマートカード、電子手帳等のように、携帯可能であり、ディスプレイ機能を具備した多様な小型機器で実現されてよい。ただ、場合によっては、ノートパソコンやモニタ、テレビ等、中／大型画面を具備した機器で実現可能である。
【０１３８】
フレキシブルディスプレイ装置１００は、外部からの圧力によって形が変形されてよい。例えば、ユーザの手によって加わる力によって形が変形されてよい。ただ、場合によっては、内部から印加される電圧によって形が自動で変形されることも可能である。形の変形に関連する具体的な例について、後述する。
【０１３９】
なお、フレキシブルディスプレイ装置１００は、電子装置２００を制御、特に、遠隔制御のための少なくとも一つの制御モードに対応するＵＩ（以下、制御モードＵＩという）を含むユーザインターフェースを提供してよい。
【０１４０】
具体的に、フレキシブルディスプレイ装置１００は、電子装置２００を制御するための多様な制御モードのうち、形の変形に対応する制御モードＵＩを提供することができる。例えば、制御モードＵＩは、リモコンモードＵＩであってよく、それに対する具体的な説明は後述する。
【０１４１】
一方、電子装置２００は、フレキシブルディスプレイ装置１００によって制御される被制御機器として、デジタルテレビ、パソコン、ＤＶＤ、ナビゲーション装置等のディスプレイ機器で実現可能であるが、それに限定されるものではない。例えば、エアコンや冷蔵庫、玄関ドア等、多様なホーム機器で実現可能であってよい。なお、電子装置は、被制御のモバイル端末、別のフレキシブルディスプレイ装置、またはサーバ等で実現されてよい。
【０１４２】
一方、フレキシブルディスプレイ装置１００および電子装置２００は、多様な通信方式を通じて通信を行うことができる。例えば、Ｗｉ−Ｆｉ（Ｗｉｒｅｌｅｓｓ  Ｆｉｄｅｌｉｔｙ）、ＢＴ（Ｂｌｕｅ  Ｔｏｏｔｈ（登録商標））、ＬＡＮ、ＰＡＮ、ＷＡＮ、Ｗｉｒｅｄ  Ｉ／Ｏ、イーサネット（登録商標）、ＴＣＰ／ＩＰ、ＩＰＸ、ファイヤーワイヤー、ＩＥＥＥ  １３９４、ｉＬｉｎｋ、ＣＤＭＡ、ＴＤＭＡ、ＨＤＭＩ（登録商標）−ＣＥＣ（Ｈｉｇｈ  Ｄｅｆｉｎｉｔｉｏｎ  Ｍｕｌｔｉｍｅｄｉａ  Ｉｎｔｅｒｆａｃｅ）、Ｗｉｒｅｌｅｓｓ  ＨＤＭＩ−ＣＥＣ、ＲＦ（Ｒａｄｉｏ  Ｆｒｅｑｕｅｎｃｙ）、ＮＦＣ  Ｉｎｔｅｒｆａｃｅ等の多様な通信方式が利用されてよい。
【０１４３】
例えば、フレキシブルディスプレイ装置１００は、電子装置２００に接続されていると、ユーザ命令または予め設定されたイベントに応じて電子装置２００を探索し、電子装置２００にアクセルして電子装置２００に対する遠隔制御機能を実行することができる。
【０１４４】
図９（ｂ）に示すように、本発明の一実施形態に係る制御システムは、フレキシブルディスプレイ装置１００と、電子装置２００およびサーバ３００を含んでよい。
【０１４５】
フレキシブルディスプレイ装置１００および電子装置２００に関する説明は、図９（ａ）に示す第１実施形態における説明と同様であるため、詳細な説明は省略する。
【０１４６】
サーバ３００は、ディスプレイ装置１００および電子装置２００の少なくとも一方と通信を行う機能を具備する。
【０１４７】
具体的に、サーバ３００は、Ｗｉ−Ｆｉ（Ｗｉｒｅｌｅｓｓ  Ｆｉｄｅｌｉｔｙ）、インターネット、ＬＡＮ、ＰＡＮ、ＷＡＮ、Ｗｉｒｅｄ  Ｉ／Ｏ、イーサネット、ＴＣＰ／ＩＰ、ＩＰＸ、ファイヤーワイヤー、ＩＥＥＥ  １３９４、ｉＬｉｎｋ、ＣＤＭＡ、ＴＤＭＡ、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ）、Ｗｉｒｅｌｅｓｓ  ＨＤＭＩ−ＣＥＣ等の一つまたはその以上の多様な通信方式を用いてディスプレイ装置１００および電子装置２００の少なくとも一方と通信を行うことができる。
【０１４８】
サーバ３００は、フレキシブルディスプレイ装置１００および電子装置２００の少なくとも一方からの要求に応じて、フレキシブルディスプレイ装置１００に形の変形に対応するユーザインターフェースを構成するためのＵＩ情報およびフレキシブルディスプレイ装置１００を介して電子装置２００を制御するためのそれに対応する制御情報を提供することができる。
【０１４９】
ここで、サーバ３００は、クラウドコンピューティング技術を利用するクラウドサーバで実現可能であるが、それに限定されるものではない。ここで、クラウドコンピューティング（ｃｌｏｕｄ  ｃｏｍｐｕｔｉｎｇ）は、クラウド基盤のコンピューティング技術を意味するものとして、例えば、インターネット上のユーティーリティデータサーバにプログラムをおき、その都度コンピュータや携帯電話等に読み込んで使用するウェブを基盤とするソフトウェアサービスである。
【０１５０】
なお、サーバ３００は、多様なＵＩ情報およびそれに対応する制御情報（例えば、コード情報）を当該サービス提供者を通じてアップデートすることができる。例えば、リモコンＵＩの場合、制御情報は二進コード形態の赤外線リモコンコードであってよい。なお、キーボードコードの場合、制御情報はＪａｖａスクリプトモード形態であってよい。
【０１５１】
一方、サーバ３００は、一実施形態によって外部サーバで実現されたり、フレキシブルディスプレイ装置１００内、または電子装置２００内に具備される埋め込みのサーバで実現されてよい。サーバ３００が電子装置２００内の埋め込みのサーバで実現される場合、電子装置２００が上述のＵＩ情報および対応する制御情報を提供することができる。なお、サーバ３００は、スマートフォンのように、フレキシブルディスプレイ装置１００と協力して電子装置２００を制御できるモバイル端末でも実現されてよい。
【０１５２】
図１０ないし図１２は、本発明の多様な実施形態に係る制御システムの動作を説明するための図である。
【０１５３】
図１０（ａ）は、本発明の一実施形態に係る制御システムの動作を説明するためのタイミング図である。
【０１５４】
図１０（ａ）に示すように、まず、予め設定されたイベントが発生すると、フレキシブルディスプレイ装置１００と電子装置２００が通信を行い連動状態になる（Ｓ１０１１）。ここで、連動とは、フレキシブルディスプレイ装置１００と電子装置２００の間に通信が初期化される動作、ネットワークが形成される動作、機器ペアリングが行われる動作等、通信が可能な状態になる全ての状態を意味してよい。例えば、フレキシブルディスプレイ装置１００の機器識別情報が電子装置２００に提供され、それにより、両機器間のペアリング手続きが行われてよい。例えば、フレキシブルディスプレイ装置１００で予め設定されたイベントが発生すると、ＤＬＮＡ（Ｄｉｇｉｔａｌ  Ｌｉｖｉｎｇ  Ｎｅｔｗｏｒｋ  Ａｌｌｉａｎｃｅ）技術を通じて周辺機器を探索し、探索された機器とペアリングを行って連動状態になってよい。
【０１５５】
ここで、予め設定されたイベントは、フレキシブルディスプレイ装置１００と電子装置２００の少なくとも一方から発生してよい。例えば、フレキシブルディスプレイ装置１００で電子装置２００を被制御機器に選択するユーザ命令が入力されたり、電子装置２００が電源オンとなる場合がそれに該当してよい。
【０１５６】
続いて、フレキシブルディスプレイ装置１００は、形の変形が検知されると（Ｓ１０１２）、フレキシブルディスプレイ装置１００は変形された形に対応するＵＩを提供する（Ｓ１０１３）。ここで、ＵＩは、電子装置２００を制御するための制御モードＵＩとして、フレキシブルディスプレイ装置１００に予め保存されている形態であってよい。具体的に、フレキシブルディスプレイ装置１００は、形の変形によるフレキシブルディスプレイ装置１００の模様や、大きさ情報等を分析し、変形された形に対応するＵＩを検索し、それを提供することができる。例えば、フレキシブルディスプレイ装置１００は、内部メモリまたは外部メモリ、または外部データサーバを通じて対応するＵＩ情報を検索し、変形された形に対応するＵＩを提供することができる。
【０１５７】
フレキシブルディスプレイ装置１００のサイズは、選択された表面のピクセル情報に基づいて判断されてよい。例えば、フレキシブルディスプレイ装置が、第１ピクセル解像度を有して半分にフォールディングされると、サイズは一次元で第１解像度サイズの半分である第２解像度になってよい。サイズ情報は、フレキシブルディスプレイ装置の高さピクセル個数および広さピクセル個数の形態であるピクセル情報であってよい。なお、サイズ情報は、解像度範囲に対応するインデックスであってよく、インデックスが伝送され、ＵＩはインデックスに応じて選択されてよい。
【０１５８】
一方、制御モードはユーザによって選択されたり、電子装置２００から受信することも可能である。例えば、ユーザがＵＩが表示されることを望む制御モード、“例えば、リモコンモード”を選択したり、電子装置２００から要求される制御モード“例えば、リモコンモード”を受信することができる。
【０１５９】
続いて、提供されたＵＩを通じて入力されたユーザ命令が受信されると（Ｓ１０１４）、フレキシブルディスプレイ装置１００は入力されたユーザ命令に対応する制御信号を電子装置２００に伝送する（Ｓ１０１５）。この場合、提供されたＵＩに対応する電子装置２００を制御するための制御情報（例えば、コード情報）は、フレキシブルディスプレイ装置１００に予め保存されていてよい。
【０１６０】
それにより、電子装置２００では、受信された制御信号に対応する形態の制御動作が行われてよい。
【０１６１】
一方、本実施形態では、フレキシブルディスプレイ装置１００と電子装置２００とが連動された後に、フレキシブルディスプレイ装置１００の形の変形があるとして説明しているが、それは一例に過ぎず、ステップＳ１０１１およびＳ１０１２の順番は変更されてよい。
【０１６２】
図１０（ｂ）は、本発明の一実施形態に係る制御システムの動作を説明するためのタイミング図である。図１０（ｂ）に示す各ステップのうち、図１０（ａ）に示すステップと重複する部分については、詳細な説明を省略する。
【０１６３】
図１０（ｂ）に示すように、まず、予め設定されたイベントが発生すると、フレキシブルディスプレイ装置１００と電子装置２００は、通信を行って連動状態となる（Ｓ１０２１）。
【０１６４】
続いて、電子装置２００でフレキシブルディスプレイ装置１００の制御モード切り替えのための予め設定されたイベントが発生すると（Ｓ１０２２）、電子装置２００は当該イベント発生信号をフレキシブルディスプレイ装置１００に伝送する（Ｓ１０２３）。
【０１６５】
続いて、イベント発生信号に応じてフレキシブルディスプレイ装置１００の形が自動で変形されてよく（Ｓ１０２４）、フレキシブルディスプレイ装置１００は変形された形に対応するＵＩを提供する（Ｓ１０２５）。なお、ステップＳ１０２４において、フレキシブルディスプレイ装置１００は、フレキシブルディスプレイ装置１００を変形するようにするメッセージをユーザに出力することができる。
【０１６６】
ここで、ＵＩは、電子装置２００を制御するための制御モードＵＩであってよい。例えば、フレキシブルディスプレイ装置１００から発生したイベントが文字入力を必要とするイベントである場合、当該イベントに対応する制御モード、例えば、キーボードモードを提供するようにフレキシブルディスプレイ装置１００の形が自動で変形されてよい。
【０１６７】
続いて、フレキシブルディスプレイ装置１００から提供されたＵＩを通じて入力されたユーザ命令が受信されると（Ｓ１０２６）、フレキシブルディスプレイ装置１００は受信されたユーザ命令に対応する制御信号を電子装置２００に伝送する（Ｓ１０２７）。それにより、電子装置２００では、受信された制御信号に対応する形の制御動作が行われてよい。
【０１６８】
一方、本実施形態では、フレキシブルディスプレイ装置１００と電子装置２００とが連動された後に、電子装置２００でフレキシブルディスプレイ装置１００の制御モード切り替えのための予め設定されたイベントが発生するとして説明しているが、それは一例に過ぎず、ステップＳ１０２１およびＳ１０２２の順番は変更されてよい。
【０１６９】
図１１は、本発明の一実施形態に係る制御システムの動作を説明するためのタイミング図である。図１１に示す各ステップのうち、図１０に示されたステップと重複する部分については、詳細な説明を省略する。
【０１７０】
図１１に示すように、フレキシブルディスプレイ装置１００と電子装置２００は、通信を行って連動状態になる（Ｓ１１１１）。
【０１７１】
続いて、フレキシブルディスプレイ装置１００の形が変形されると（Ｓ１１１２）、フレキシブルディスプレイ装置１００は変形された形に対応する信号（以下では、形の変形情報という）を電子装置２００に伝送する（Ｓ１１１３）。なお、変形された形によって、機器情報および使用しようとする制御モード情報を同時に伝送することができる。ここで、形の変形情報は、情報がディスプレイされる面の模様、大きさに対する情報等であってよい。
【０１７２】
この場合、電子装置２００は、フレキシブルディスプレイ装置１００から受信された形の変形情報に対応するＵＩ情報を判断する（Ｓ１１１４）。具体的に、電子装置２００は機器情報および画面表示情報を用いてフレキシブルディスプレイ装置１００の画面に表示する制御モードＵＩの大きさおよび各構成配置を決定してよい。
【０１７３】
一方、電子装置２００は、電子装置２００で現在再生されているコンテンツ特性を考慮し、受信された形の変形情報に対応するＵＩ情報を判断することができる。例えば、形の変形情報が、“縦軸に２回フォールディングする形”に関する情報であり、電子装置２００の画面で提供するコンテンツが放送チャネルから提供する放送コンテンツである場合、電子装置２００は放送チャネルを制御するためのリモコンモードＵＩを検索または生成したり、予め保存された情報を用いて組み合わせ直すことができる。
【０１７４】
電子装置２００は、検索されたＵＩ情報をフレキシブルディスプレイ装置１００に提供する（Ｓ１１１５）。この場合、電子装置２００はフレキシブルディスプレイ装置１００に対応する機器ドライバおよび制御方法と同時に提供することができる。なお、電子装置２００は、インターネット等のネットワーク通信を通じて機器ドライバおよび制御情報をアップデートすることもできる。
【０１７５】
ＵＩ情報が、図１１の電子装置２００に提供されるとしても、電子装置２００はサーバと通信を行い、フレキシブルディスプレイ装置１００にＵＩ情報を提供するようにサーバに要求することができる。
【０１７６】
電子装置２００が再生されるコンテンツの特性に基づいて提供されるＵＩを判断するとして示されているが、場合によっては、電子装置２００は再生されているコンテンツタイプだけでなく、全てのコンテンツタイプに関連する一般のＵＩ情報をフレキシブルディスプレイ装置１００に伝送することもできる。フレキシブルディスプレイ装置１００は、電子装置２００から受信されたコンテンツタイプに基づいてディスプレイされる特定ＵＩを判断することができる。電子装置２００で再生されているコンテンツタイプが変更されると、それはイベントとして検出され、再生されるコンテンツの新たなタイプが電子装置２００からフレキシブルディスプレイ装置１００に伝送されてよい。それにより、ＵＩは、電子装置２００でコンテンツタイプが変更されると、コンテンツタイプに応じてフレキシブルディスプレイ装置１００によって動的にアップデートされてよい。
【０１７７】
続いて、フレキシブルディスプレイ装置１００は、受信されたＵＩ情報に基づいて変形された形に対応するＵＩを提供する（Ｓ１１６０）。ここで、ＵＩ情報は、各制御モードに対応するＵＩに含まれる多様な入力ツール領域の大きさおよび配置情報であってよい。例えば、キーボードモードである場合、英語または数字の文字盤の配置領域の大きさ、配置領域の大きさおよび配置位置等がＵＩ情報に含まれてよい。
【０１７８】
一方、フレキシブルディスプレイ装置１００は、電子装置２００の制御のための機器ドライバをインストールし、受信されたＵＩ情報に基づいてＵＩを表示することができる。
【０１７９】
続いて、提供されたＵＩを通じて入力されたユーザ命令が受信されると（Ｓ１１１７）、フレキシブルディスプレイ装置１００は受信されたユーザ命令に対応する制御信号（または、制御情報）を電子装置２００に伝送する（Ｓ１１１８）。それにより、電子装置２００では受信された制御信号に対応する形態の制御動作が行われてよい。
【０１８０】
図１２は、本発明の一実施形態に係る制御システムの動作を説明するためのタイミング図である。図１２に示す各ステップのうち、図１０および図１１に示されたステップと重複する部分については、詳細な説明を省略する。
【０１８１】
図１２に示すように、フレキシブルディスプレイ装置１００と電子装置２００は、通信を行って連動状態になる（Ｓ１２１１）。
【０１８２】
続いて、フレキシブルディスプレイ装置１００の形が変形されると（Ｓ１２１２）、フレキシブルディスプレイ装置１００は変形された形に対応する形の変形情報をサーバ３００に伝送する（Ｓ１２１３）。なお、フレキシブルディスプレイ装置１００は、機器情報、被制御機器情報、使用しようとする制御モード情報のうち、少なくとも一つを更に伝送してよい。フレキシブルディスプレイ装置１００がサーバ３００に被制御機器情報、すなわち、電子装置２００の情報を伝送する場合には、電子装置２００から機器情報を受信してサーバ３００に提供することができる。一方、使用しようとする制御モード情報は、フレキシブルディスプレイ装置１００を介してユーザによって入力されてよいが、電子装置２００で現在提供されているコンテンツ特性に応じて電子装置２００を介して提供されてよい。
【０１８３】
この場合、サーバ３００は、受信された形の変形情報に対応するＵＩ情報を判断し（Ｓ１２１４）、判断されたＵＩ情報をフレキシブルディスプレイ装置１００に提供する（Ｓ１２１５）。この場合にも、同様に、ＵＩ情報判断時に、電子装置２００から提供されるコンテンツ特性が考慮されてよい。
【０１８４】
なお、サーバ３００は、フレキシブルディスプレイ装置１００および電子装置２００間の制御情報をＵＩ情報とともにフレキシブルディスプレイ装置１００に伝送することができる。一方、サーバ３００は、当該業者サーバを通じて制御情報をアップデートすることができる。
【０１８５】
続いて、フレキシブルディスプレイ装置１００は、受信されたＵＩ情報に基づいて変形された形に対応するＵＩを提供する（Ｓ１２１６）。この場合、フレキシブルディスプレイ装置１００は、電子装置２００またはサーバ３００から受信された電子装置２００制御のための機器ドライバをインストールしてよい。
【０１８６】
続いて、提供されたＵＩを通じて入力されたユーザ命令が受信されると（Ｓ１２７１７）、フレキシブルディスプレイ装置１００は受信されたユーザ命令に対応する制御信号を電子装置２００に伝送する（Ｓ１２１８）。それにより、電子装置２００では、受信された制御信号に対応する形態の制御動作が行われてよい。
【０１８７】
図１３は、本発明の一実施形態に係る制御システムの動作を説明するためのタイミング図である。図１３に示す各ステップのうち、図１０および図１１に示されたステップと重複する部分については、詳細な説明を省略する。
【０１８８】
図１３に示すように、フレキシブルディスプレイ装置１００と電子装置２００は、通信を行って連動状態になる（Ｓ１３１１）。
【０１８９】
続いて、フレキシブルディスプレイ装置１００の形の変形が検知されると（Ｓ１３１２）、フレキシブルディスプレイ装置１００は変形された形に対応する形の変形情報を電子装置２００に伝送する（Ｓ１３１３）。その他に、フレキシブルディスプレイ装置１００は、機器情報、使用しようとする制御モード情報のうち、少なくとも一つを更に伝送してよい。
【０１９０】
電子装置２００は、受信された形の変形情報をサーバ３００に伝送する（Ｓ１３１４）。ここで、電子装置２００は、フレキシブルディスプレイ装置１００から受信された情報に加え、自らの機器情報および必要とする制御モード情報を同時にサーバ３００に伝送することができる。ここで、制御モード情報は、電子装置２００で現在再生されているコンテンツ特性に応じて決定されてよい。
【０１９１】
サーバ３００は、受信された形の変形情報に対応するＵＩ情報を判断し（Ｓ１３１５）、判断されたＵＩ情報を電子装置２００に提供する（Ｓ１３１６）。この場合に、サーバ３００は、電子装置２００にＵＩ情報に対応する制御情報とともに提供することができる。ここで、サーバ３００は、インターネット等と接続されてフレキシブルディスプレイ装置１００および電子装置２００に関する情報をアップデートすることができる。例えば、機器ドライバ情報、制御情報、ＵＩ情報等をアップデートすることができる。
【０１９２】
電子装置２００は、受信されたＵＩ情報および制御情報をフレキシブルディスプレイ装置１００に伝送する（Ｓ１３１７）。それにより、フレキシブルディスプレイ装置２００は、受信されたＵＩ情報に基づいて変形された形に対応するＵＩを提供する（Ｓ１３１８）。
【０１９３】
続いて、提供されたＵＩを通じてユーザ命令が入力されると（Ｓ１３１９）、フレキシブルディスプレイ装置１００は、入力されたユーザ命令に対応する制御信号を電子装置２００に伝送する（Ｓ１３２０）。それにより、電子装置２００では、受信された制御信号に対応する形態の制御動作が行われてよい。
【０１９４】
図１４は、本発明の多様な実施形態に係るフレキシブルディスプレイ装置の構成を説明するためのブロック図である。
【０１９５】
図１４（ａ）によると、フレキシブルディスプレイ装置１００は、ディスプレイ部１１０と、検知部１２０および制御部１３０を含む。
【０１９６】
フレキシブルディスプレイ装置１００は、上述のように、変形されてよい。例えば、フレキシブルディスプレイ装置１００は、ディスプレイ部１１０の画面が外部を向くようにフォールディング（ｆｏｌｄｉｎｇ）されてよい。
【０１９７】
なお、フレキシブルディスプレイ装置１００は、ローリング（ｒｏｌｌｉｎｇ）が可能である。例えば、ディスプレイ部１１０の画面の外壁を構成する柱状になるように、ローリングできるように実現されてよい。
【０１９８】
ディスプレイ部１１０は、多様な形態のユーザインターフェースを提供することができる。
【０１９９】
なお、ディスプレイ部１１０は、フレキシブルディスプレイ装置１００の機能に応じて多様な客体をディスプレイすることができ、ここで、客体は、コンテンツ、機能メニュー、アイコン、写真、イメージ、テキスト、ウィジェット領域等であってよい。
【０２００】
一方、ディスプレイ部１１０の構成については、図１のディスプレイ部１０の構成で詳細に説明しているため、これ以上の説明は省略する。
【０２０１】
検知部１２０は、ディスプレイ部１１０の形の変形を検知する機能を担う。
【０２０２】
具体的に、検知部１２０は、ディスプレイ装置１００のフォールディング状態、ローリング状態等のように、フレキシブルディスプレイ装置１００の変形された状態を検知することができる。なお、ディスプレイ装置１００が、フォールディング、ローリングされた状態におけるタッチ状態、回転状態等を検知することができる。
【０２０３】
ここで、フォールディング状態は、ディスプレイ部１１０のフォールディングの度合い、フォールディング領域、フォールディング方向、フォールディングの持続時間等であってよく、ローリング状態は、ローリング強度、ローリング領域、ローリング方向、ローリングの持続時間等であってよい。なお、タッチ状態は、ディスプレイ部１１０が変形された状態で、タッチ操作タイプ（例えば、タップ（ｔａｐ）、ドラッグ（ｄｒａｇ）、フリック（ｆｌｉｃｋ）等）、タッチ圧力、タッチ方向、タッチの持続時間等であってよい。なお、回転状態は、ディスプレイ部１１０がフォールディングまたはローリングされた状態における回転方向、回転速度、回転時間等であってよい。それは、多様な種類のセンサを通じて可能であってよく、例えば、検知部１２０は、変形センサ、タッチセンサ、圧力センサ、動きセンサ、勾配センサのうち、少なくとも一つを具備してよい。
【０２０４】
なお、検知部１２０は、ディスプレイ部１１０の前面に配置されたタッチセンサを用いてユーザの身体（例えば、指）やスタイラスペン等から入力されるタッチを認識し、入力されたタッチ情報を後述の制御部１３０から伝達してよい。
【０２０５】
一方、場合によって、検知部１２０は動きおよび動きが発生した際の加速度を測定することができる動きセンサ、ディスプレイ部１１０にかかる圧力を検知する圧力センサ、重力方向を基準に勾配を検知することができる勾配センサ等のような多様なセンサを用いてディスプレイ部１１０が曲がる領域、方向および度合いを検知することができる。
【０２０６】
制御部１３０は、検知部１２０の検知結果に応じて、検知された形の変形に対応するユーザインターフェースが表示されるように、ディスプレイ部１１０を制御することができる。この場合、ユーザインターフェースを表示するためのＵＩ情報は予め保存されているか、外部から受信されてよい。それに対する詳細な説明は後述する。
【０２０７】
ここで、形の変形は、フォールディング、ローリング等のような形の変形を含んでよいが、それに限定されるものではない。一方、フォールディングの場合、フォールディング方向、フォールディング領域等に応じて、互いに異なるフォールディング状態であってよく、ローリングの場合、ローリング方向、ローリング領域、ローリング強度等に応じて、互いに異なるローリング状態であってよい。
【０２０８】
なお、変形された形に対応するユーザインターフェースは、他機器（図示せず）と連動され、他機器を制御することができる少なくとも一つの制御モードＵＩを含む形態であってよい。ここで、制御モードには、文字入力モード、遠隔制御モード、タッチモード、ポインタモード、音声認識モード等があってよいが、それに限定されるものではない。ただ、以下では、説明の便宜上、フレキシブルディスプレイ装置がキーボードモード、リモコンモード、タッチモードの制御モードを提供するものとして想定して説明する。
【０２０９】
一方、各変形形態に対応するユーザインターフェース形態は、以下の表１のように定義されてよい。しかし、それも一実施形態に過ぎず、インターフェース形態は多様に変更されてよい。
【０２１０】
【表１】
2013218696.tif 000003
【０２１１】
なお、各変形形態に対応するユーザインターフェースの形態は、表１に記載されたように予め定義されていてよいが、ユーザによって設定されることも可能である。
【０２１２】
なお、各制御モードＵＩが要求されるイベントは、例えば、次のような場合があってよい。
【０２１３】
【表２】
2013218696.tif 000004
【０２１４】
一方、多様な制御が画面上に同時に実現される場合、例えば、被制御機器の一部領域にテレビ画面がディスプレイされ、残りの領域に文字または数字の入力を要する画面がディスプレイされた場合等のように、制御モード要求状況が一つの画面に同時に発生する場合には、リモコンモード＋キーボードモード形態のＵＩが要求されることはいうまでもない。
【０２１５】
ただ、表２に示す実施形態は、一例に過ぎず、その他にも多様な場合があってよい。
【０２１６】
制御部１３０は、検知部１２０から検知された検知結果に応じて、機器の変形形態を判断することができる。
【０２１７】
例えば、制御部１３０は、変形センサの出力値を通じて曲がった境界線を認識し、フォールディング時に生成される直線の両端の座標値を計算することで、フォールディング機器形態を判断することができる。なお、制御部１３０は、活性化されたディスプレイ領域を囲む多角形の頂点を計算し、形態を把握することもできる。この場合、フォールディング時にディスプレイ部１１０の縁も直線になると仮定することができる。
【０２１８】
一方、制御部１３０は、ローラ（図示せず）の回転角を用いてローリング情報を判断することができる。
【０２１９】
制御部１３０は、フォールディングによって区分された複数の画面のうち、ユーザのタッチ入力を受けた画面をディスプレイ面と判断して活性化させることができる。なお、制御部１３０は、ユーザのタッチが容易に行われるように、フォールディングで区分された複数の画面の各々にユーザがタッチできるアイコンを提供することができる。
【０２２０】
なお、制御部１３０は、カメラ（図示せず）を通じた顔認識を通じてディスプレイ面を判断することができる。例えば、フォールディングによって区分された複数の画面に設置されたカメラ（図示せず）を用いて顔を認識し、顔の認識されたカメラが設置された画面をディスプレイ面と判断することができる。顔認識の場合、明確な顔の形を認識しなくても、顔の模様、眉毛、目、鼻、口、髪の毛等、少なくとも一つの顔の特定部位を認識することで、ユーザの眺める画面を判断することができる。
【０２２１】
なお、制御部１３０は、ベンディングラインおよび加速度計等を用いた検知部１２０の検知結果に応じて、ディスプレイ面を判断することができる。この場合、フレキシブルディスプレイ装置１００のディスプレイ面は重力加速度の方向と反対となる方向、すなわち、ユーザはフレキシブルディスプレイ装置１００の上から下方向に眺めながら、操作を行うと仮定する。
【０２２２】
具体的に、制御部１３０は、検知部１２０から検知されたベンディングラインを通じてフレキシブルディスプレイ装置１００がフォールディングされた状態を判断することができる。例えば、横軸＋縦軸ベンディングである場合、フォールディングで区分された４つの画面のうち、情報をディスプレイするための二つの画面を選別することができる。
【０２２３】
制御部１３０は、加速度計の検知結果を用いてフレキシブルディスプレイ装置１００の姿勢を判断することができる。例えば、加速度計から検知された重力加速度の結果を用いて加速度計が設置された画面の姿勢を判断することができ、ベンディングの形に応じて、残りの画面の姿勢を判断することができる。
【０２２４】
その後、制御部１３０は、ディスプレイ可能な二つの画面のうち、重力加速度方向と反対となる方向の画面をディスプレイ面と判断することができる。
【０２２５】
両手把持動作がある場合、制御部１３０は、圧力センサやタッチセンサ等を用いて、両親指および残りの４本の指がタッチされた領域で、両親指が接地された面をディスプレイ面と判断する。
【０２２６】
一方、片手把持動作がある場合、制御部１３０は、親指および残りの４本の指がタッチされた領域で、圧力センサやタッチセンサ等で親指が接地された面をディスプレイ面と判断する。この場合、前面および背面の指接地面にセンシングされた指の本数や接地された面の形でディスプレイ面を判断することもできる。
【０２２７】
制御部１３０は、フォールディングによって区分された画面のうち、一面が障害物に接近しているか、相接している場合のような状況で、当該面をディスプレイ面から除外させてよい。
【０２２８】
一方、上述のような実施形態では、横軸＋縦軸フォールディングの場合を例に挙げて説明しているが、同じ方向への１回のフォールディング、２回のフォールディング、ローリングの場合にも、類似している方式が適用されてよいことから、詳細な説明は省略する。
【０２２９】
ただ、全体ローリングの場合には、手で把持できる領域を考慮してディスプレイ領域を予め設定されてよい。それにより、ユーザに把持領域に対するガイドを提供することもできる。
【０２３０】
一方、図面には示していないが、入力部（図示せず）は、ディスプレイ部１１０を介して提供されるユーザインターフェースに対応する面に対する選択をユーザから入力される機能を実行する。例えば、フレキシブルディスプレイ装置１００がフォールディングされた場合、ユーザは入力部（図示せず）を介してフォールディングされた両面のいずれか片面を選択することができる。なお、ユーザは、入力部（図示せず）を介してユーザインターフェースを表示する領域を指定することもできる。
【０２３１】
ここで、入力部（図示せず）は、ディスプレイ部１１０がタッチパッドと相互レイヤ構造を構成するタッチスクリーン形態で実現される場合、ディスプレイ部１１０と一体の構成で実現されてよい。この場合、タッチスクリーンは、タッチ入力位置および面積だけでなく、タッチ入力圧力までも検出することができるように構成されてよい。
【０２３２】
なお、入力部（図示せず）は、ディスプレイ部１１０を介して提供されるユーザインターフェースを通じて電子装置２００を制御するためのユーザ命令を入力されてよい。
【０２３３】
ＵＩ処理部（図示せず）は、多様なＵＩを２Ｄまたは３Ｄ形態で処理／生成する機能を担う。ここで、ＵＩは、上述のように、フレキシブルディスプレイ装置１００の形の変形に対応する多様な形態の制御モードＵＩであってよい。なお、ＵＩ処理部１７０は、ＵＩ要素の２Ｄ／３Ｄ切り替えでき、ディスプレイされた客体の透明度、色相、大きさ、形態および位置等を調整したり、ハイライトやアニメーション効果等を付加してよい。
【０２３４】
図１４（ｂ）は、本発明の別の実施形態に係るフレキシブルディスプレイ装置の構成を説明するためのブロック図である。
【０２３５】
図１４（ｂ）によると、フレキシブルディスプレイ装置３００は、ディスプレイ部４１０と、検知部４２０と、通信部４３０および制御部４４０を含む。図１４（ｂ）に示す構成要素のうち、図１４（ａ）に示す構成要素の説明と重複される部分に対しては、詳細な説明を省略する。
【０２３６】
ディスプレイ部４１０は、多様な形態のユーザインターフェースを提供することができる。ここで、ユーザインターフェースは、電子装置２００のような他機器を制御できるように少なくとも一つの制御モードＵＩを含んでよい。ここで、制御モードは、キーボードモード、リモコンモード、タッチモードのうち、少なくとも一つの形態で実現されてよい。
【０２３７】
検知部４２０は、ディスプレイ部４１０の形の変形を検知する機能を担う。
【０２３８】
通信部４３０は、電子装置２００と通信を行う機能を担う。
【０２３９】
通信部４３０は、制御部４４０の制御に応じて、検知部４２０から検知された形の変形に対応する第１情報を電子装置２００に伝送し、伝送された第１情報に対する応答として、電子装置２００から第２情報を受信することができる。
【０２４０】
ここで、第１情報は、検知された形の変形に対応する信号および検知された形の変形に対応する制御モードに対応する信号の少なくとも一つであってよい。
【０２４１】
第１情報が検知された形の変形に対応する信号である場合、第１情報は検知された形の変形に対応するディスプレイ部５１０の大きさ情報を含んでよい。
【０２４２】
なお、ディスプレイ部４１０の形が変形された状態で、ユーザの領域設定操作があった場合、設定された領域に対する構成情報が第１情報に含まれてよい。ここで、設定された領域に対する構成情報は、領域位置、領域の大きさ、領域の数等であってよい。それに対する詳細な説明は、図２３を参照して後述する。
【０２４３】
なお、第２情報は、検知された形の変形に対応するＵＩ情報であってよい。
【０２４４】
一方、通信部４３０は、場合によって、電子装置２００に機器情報を伝送してよい。
【０２４５】
制御部４４０は、通信部４３０を介して受信された第２情報に基づいて、ユーザインターフェースが表示されるように制御してよい。
【０２４６】
具体的に、制御部４４０は、検知された形の変形に対応するＵＩ情報によって、ユーザインターフェースを構成して表示するように制御してよい。
【０２４７】
場合によって、制御部４４０は、サーバ３００から受信されたＵＩ情報に基づいて、ユーザインターフェースを構成して表示することができる。
【０２４８】
図１５は、図１４（ａ）に示すフレキシブルディスプレイ装置の細部構成を示すブロック図である。
【０２４９】
図１５に示すように、フレキシブルディスプレイ装置１００は、ディスプレイ部１１０と、検知部１２０と、制御部１３０と、保存部１４０と、通信部１５０と、音声認識部１６０と、モーション認識部１７０と、スピーカ１８０と、外部入力ポート１９０−１〜１９０−ｎおよび電源部５００を含む
【０２５０】
ディスプレイ部１１０は、フレキシブルな特性を有する。ディスプレイ部１１０の細部構成および動作については、上述の部分で具体的に説明しているため、繰り返し説明は省略する。
【０２５１】
保存部１４０は、メモリで実現され、フレキシブルディスプレイ装置１００の動作に関連する各種プログラムやデータ、ユーザが設定した設定情報、オペレーティングソフトウェア（Ｏｐｅｒａｔｉｎｇ  Ｓｏｆｔｗａｒｅ）、各種アプリケーションプログラム、ユーザ操作内容に対応する動作に対する情報等が保存されてよい。
【０２５２】
検知部１２０は、ディスプレイ部１１０をはじめとするフレキシブルディスプレイ装置１００の全体の変形状態およびタッチ状態を検知する。図１５によると、検知部１２０は、タッチセンサ１２１と、地磁気センサ１２２と、加速度センサ１２３と、ベンドセンサ１２４と、圧力センサ１２５と、近接センサ１２６およびグリップセンサ１２７等のような多様なセンサを含んでよい。
【０２５３】
タッチセンサ１２１は、静電式または電圧式で実現されてよい。静電式は、ディスプレイ部１１０の表面にコーティングされた誘電体を用いて、ユーザの身体の一部がディスプレイ部１１０の表面にタッチされた際、ユーザの人体に励起される微細電気を検知し、タッチ座標を算出する方式である。減圧式は、二つの電極板を含み、ユーザが画面をタッチした場合、タッチされた地点の上下板が接触され、電流が流れることを検知し、タッチ座標を算出する方式である。以上のように、タッチセンサ１２１は多様な形態で実現されてよい。
【０２５４】
地磁気センサ１２２は、フレキシブルディスプレイ装置１００の回転状態および移動方向等を検知するためのセンサであり、加速度センサ１２３は、フレキシブルディスプレイ装置１００の勾配具合を検知するためのセンサである。上述のように、地磁気センサ１２２および加速度センサ１２３は、各々フレキシブルディスプレイ装置１００のベンディング方向やベンディング領域等のようなベンディング特性を検出するための用途に使用されてよいが、それとは別途に、フレキシブルディスプレイ装置１００の回転状態または勾配状態等を検出するための用途に使用されてよい。
【０２５５】
ベンドセンサ８２４は、上述のように、多様な形態および個数で実現され、フレキシブルディスプレイ装置１００の変形状態を検知することができる。ベンドセンサ１２４の構成および動作に対する多様な例については上述しているため、繰り返し説明は省略する。
【０２５６】
圧力センサ１２５は、ユーザがタッチまたは形の変形操作を行う際、フレキシブルディスプレイ装置１００に加わる圧力の大きさを検知し、制御部１３０に提供する。圧力センサ１２５は、ディスプレイ部１１０に内蔵され、圧力の大きさに対応する電気信号を出力する圧電フィルム（ｐｉｅｚｏ  ｆｉｌｍ）を含んでよい。図１５では、圧力センサ１２５がタッチセンサ１２１と別個であるとして示しているが、タッチセンサ１２１が減圧式タッチセンサで実現された場合、その減圧式タッチセンサが圧力センサ１２５の役割も同時に具備することもできる。
【０２５７】
近接センサ１２６は、ディスプレイ表面に直に接触しない入力として、フレキシブルディスプレイ装置１００に対するモードを検知することができる。近接センサ１２６は、高周波磁界を形成し、物体接近の際に変化する磁界特性によって誘導される電流を検知する高周波発振型、磁石を利用する磁気型、対象体の接近によって変化する静電容量を検知する静電容量型のような多様なセンサで実現されてよい。
【０２５８】
グリップセンサ１２７は、圧力センサ１２５とは別に、フレキシブルディスプレイ装置１００の周縁やグリップ部分に配置され、ユーザのグリップを検知するセンサである。グリップセンサ１２７は、圧力センサやタッチセンサで実現されてよい。
【０２５９】
制御部１３０は、検知部１２０から検知された各種の検知信号を分析し、ユーザの意図を把握し、その意図に合った動作を行う。制御部１３０で実行される動作の一例としては、外部機器との通信を通じて獲得したデータまたは保存部１４０に保存されたデータを処理し、ディスプレイ部１１０およびスピーカ１８０等を介して出力する動作を行うことができる。この場合、制御部１３０は、通信部１５０を用いて外部機器と通信を行うことができる。
【０２６０】
通信部１５０は、多様な通信方式によって多様な外部機器と通信を行う構成である。通信部１５０は、放送受信モジュール１５１と、近距離無線通信モジュール１５２と、ＧＰＳモジュール１５３および無線通信モジュール１５４等のような多様な通信モジュールを含んでよい。ここで、放送受信モジュール１５１とは、地上波放送信号を受信するためのアンテナや復調器、等化器等を含む地上波放送受信モジュール（図示せず）、ＤＭＢ放送信号を受信して処理するためのＤＭＢモジュール等を含んでよい。近距離無線通信モジュール１５２とは、ＮＦＣ（Ｎｅａｒ  Ｆｉｅｌｄ  Ｃｏｍｍｕｎｉｃａｔｉｏｎ）やブルートゥース（登録商標）、Ｚｉｇｂｅｅ（登録商標）方式等のような近距離無線通信方式によって、近距離に位置した外部機器と通信を行うためのモジュールである。ＧＰＳ（Ｇｌｏｂａｌ  Ｐｏｓｉｔｉｏｎｉｎｇ  Ｓｙｓｔｅｍ）モジュール８５３とは、ＧＰＳ衛星からＧＰＳ信号を受信し、フレキシブルディスプレイ装置１００の現在位置を検出するためのモジュールである。無線通信モジュール１５４とは、ＷｉＦｉやＩＥＥＥ等のような無線通信プロトコルによって外部ネットワークに接続されて通信を行うモジュールである。その他に、通信モジュールは、３Ｇ（３ｒｄ  Ｇｅｎｅｒａｔｉｏｎ）、３ＧＰＰ（３ｒｄ  Ｇｅｎｅｒａｔｉｏｎ  Ｐａｒｔｎｅｒｓｈｉｐ  Ｐｒｏｊｅｃｔ）、ＬＴＥ（Ｌｏｎｇ  Ｔｅｒｍ  Ｅｖｏｌｕｔｉｏｎ）等のような多様な移動通信規格によって移動通信網に接続して通信を行う移動通信モジュールを更に含んでよい。
【０２６１】
制御部１３０は、上述の通信部１５０の各構成要素のうち、ユーザが意図した動作実行に必要な構成要素を選択的に活性化させ、動作を行うことができる。
【０２６２】
一方、制御部１３０は、形の変形操作やタッチ入力以外に音声入力やモーション入力を認識し、その入力に対応する動作を行うこともできる。この場合、音声認識部１６０またはモーション認識部１７０を活性化させることができる。
【０２６３】
音声認識部１６０は、マイク（図示せず）のような音声取得手段を用いてユーザの音声や外部音響を受信した後、制御部１３０に伝達する。制御部１３０は、音声制御モードで動作する場合、ユーザの音声が予め設定された音声コマンドと一致すると、ユーザの音声に対応するタスク（ｔａｓｋ）を行うことができる。音声を用いて制御可能なタスクとしては、音量調節やチャネル選択、チャネルザッピング、表示属性調節、再生、一時停止、巻き戻し、早送り、アプリケーション実行、メニュー選択、装置ターンオン、ターンオフ等のように多様なタスクがあってよい。
【０２６４】
一方、モーション認識部１７０は、カメラのようなイメージ撮像手段（図示せず）を用いてユーザのイメージを獲得した後、制御部１３０に提供する。モーション制御モードで動作する場合、制御部１３０は、ユーザのイメージを分析し、ユーザが予め設定されたモーションコマンドに対応するモーションジェスチャーをとったと判断されると、そのモーションジェスチャーに対応する動作を行う。一例として、チャネルザッピング、装置ターンオン、ターンオフ、一時停止、再生、停止、巻き戻し、早送り、消音等のような多様なタスクがモーションによって制御されてよい。音声で制御可能なタスク、モーションで制御可能なタスク等に対する上述の例は一例に過ぎないため、それに限定されるものではない。
【０２６５】
その他に、外部入力ポート１９０−１〜１９０−ｎは、各々多様な外部機器と接続されて各種データやプログラム、制御命令等を受信することができる。具体的には、ＵＳＢポートや、ヘッドセットポート、マウスポート、ＬＡＮポート等を含んでよい。
【０２６６】
電源部５００は、フレキシブルディスプレイ装置１００の各構成要素に電源を供給する構成要素である。電源部５００は、正極集電体、正極電極、電解質部、負極電極、負極集電体およびそれらを覆う被覆部を含む形態で実現されてよい。電源部５００は、充放電が可能な２次電池で実現される。電源部５００は、フレキシブルディスプレイ装置１００とともにベンディングできるようにフレキシブルな形態で実現されてよい。この場合、集電体、電極、電解質、被覆等は、柔軟な特性を有する材質で構成されてよい。電源部５００の具体的な形状および材質については、詳細に後述する。
【０２６７】
図１５では、フレキシブルディスプレイ装置１００に含まれる多様な構成要素について示しているが、フレキシブルディスプレイ装置１００が必ずしも全構成要素を含むとは限らず、これらの構成要素のみを含むものとして限定されるものでもない。すなわち、フレキシブルディスプレイ装置１００の製品種類に応じて構成要素の一部が省略されたり追加されてよく、または他の構成要素に置き換えられてよい。
【０２６８】
制御部１３０は、上述の検知部１２０と、音声認識部１６０と、モーション認識部１７０等を介して認識されるユーザ操作によって、各構成要素を制御し、各種動作を行う。
【０２６９】
なお、制御部１３０は、受信されたＵＩ情報に対応する制御モードＵＩを提供するために、ディスプレイ部１１０が自動で形の変形されるようにアクチュエータ部（図示せず）を制御してよい。
【０２７０】
図１６は、制御部１３０の細部構成を説明するための図である。
【０２７１】
図１６によると、制御部１３０は、システムメモリ１３１と、メインＣＰＵ１３２と、イメージプロセッサ１３３と、ネットワークインターフェース１３４と、保存部インターフェース１３５と、第１ないしｎインターフェース１３６−１〜１３６−ｎと、オーディオ処理部１３７およびシステムバス１３８を含む。
【０２７２】
システムメモリ１３１と、メインＣＰＵ１３２と、イメージプロセッサ１３３と、ネットワークインターフェース１３４と、保存部インターフェース１３５と、第１ないしｎインターフェース１３６−１〜１３６−ｎおよびオーディオ処理部１３７は、システムバス１３８を通じて互いに接続され、各種データや信号等を送受信することができる。
【０２７３】
第１ないしｎインターフェース１３６−１〜１３６−ｎは、検知部１２０をはじめとする多様な構成要素と制御部１３０内の各構成要素間のインターフェーシングをサポートする。図１６では、検知部１２０が第１インターフェース１３６−１のみに接続されているものとして示しているが、図１５に示すように、検知部１２０が多様な複数のセンサを含む場合には、各センサごとにインターフェースを通じて接続されてよい。なお、第１ないしｎインターフェース１３６−１〜１３６−ｎのいずれか一つは、フレキシブルディスプレイ装置１００のボディー部分に設けられたボタンや、外部入力ポート１９０−１〜１９０−ｎを通じて接続された外部装置から各種信号を受信する入力インターフェースで実現されてよい。
【０２７４】
システムメモリ１３１は、ＲＯＭ１３１−１およびＲＡＭ１３１−２を含む。ＲＯＭ１３１−１には、システムブートのための命令語セット等が保存される。ターンオン命令が入力されて電源が供給されると、メインＣＰＵ１３２はＲＯＭ１３１−１に保存された命令語に従って保存部１４０に保存されたＯ／ＳをＲＡＭ１３１−２にコピーし、Ｏ／Ｓを実行させてシステムをブートさせる。ブートが完了すると、メインＣＰＵ１３２は、保存部１４０に保存された各種アプリケーションプログラムをＲＡＭ１３１−２にコピーし、ＲＡＭ１３１−２にコピーされたアプリケーションプログラムを実行させて各種動作を行う。
【０２７５】
以上のように、メインＣＰＵ１３２は、保存部１４０に保存されたアプリケーションプログラムの実行に応じて多様な動作を行うことができる。
【０２７６】
保存部インターフェース１３５は、保存部１４０と接続されて、各種プログラムやコンテンツ、データ等を送受信する。
【０２７７】
一例として、ユーザが保存部１４０に保存されたコンテンツを生成してディスプレイするための再生命令に対応するタッチ操作や形の変形操作を行うと、メインＣＰＵ１３２は、保存部インターフェース１３５を介して保存部１４０にアクセスし、保存されたコンテンツに対するリストを生成した後、そのリストをディスプレイ部１１０上にディスプレイする。このような状態で、ユーザが一つのコンテンツを選択するためのタッチ操作またはベンディング操作を実行すると、メインＣＰＵ１３２は、保存部１４０に保存されたコンテンツ再生プログラムを実行させる。コンテンツ再生プログラムに含まれた命令語に従ってメインＣＰＵ１３２は、イメージ処理部１３３を制御してコンテンツ再生画面を構成する。
【０２７８】
イメージ処理部１３３は、デコーダやレンダラ、スケーラ等を含んでよい。それにより、保存されたコンテンツをデコードし、デコードされたコンテンツデータをレンダリングしてフレームを構成し、構成されたフレームのサイズをディスプレイ部１１０の画面の大きさに合わせてスケーリングする。イメージ処理部１３３は、処理されたフレームをディスプレイ部１１０に提供して、ディスプレイする。
【０２７９】
その他に、オーディオ処理部１３７は、オーディオデータを処理し、スピーカ１８０のような音響出力手段で提供する構成要素を意味する。オーディオ処理部１３７は、保存部１４０に保存されたオーディオデータや通信部１５０を介して受信されたオーディオデータをデコードし、ノイズフィルタリングした後、適正デシベルで増幅する等のオーディオ信号処理を行うことができる。上述の例で、再生されるコンテンツが動画コンテンツである場合、オーディオ処理部１３７は、動画コンテンツからデマルチプレキシングされたオーディオデータを処理し、イメージ処理部１３３と同期させて出力できるようにスピーカ１８０に提供することができる。
【０２８０】
ネットワークインターフェース１３４は、ネットワークを通じて外部装置と接続される部分である。仮に、メインＣＰＵ１３２は、ウェブブラウザプログラムが実行されると、ネットワークインターフェース１３４を介してウェブサーバにアクセスする。ウェブサーバからウェブページデータが受信されると、メインＣＰＵ１３２は、イメージ処理部１３３を制御してウェブページ画面を構成し、構成されたウェブページ画面をディスプレイ部１１０にディスプレイする。
【０２８１】
上述のように、フレキシブルディスプレイ装置１００から変形や、タッチおよびその他のユーザ操作が検知されると、制御部１３０は、ユーザ操作が意図してのものか否かを判断することができる。判断の結果、意図されたユーザ操作であると判断されると、そのユーザ操作に対応する動作に対する情報を保存部１４０から読み取った後、その情報に対応する動作を行う。以上のような制御部１３０の操作は、保存部１４０に保存された各種プログラムの実行によって実現されてよい。
【０２８２】
図１７は、上述の多様な実施形態に係る制御部１３０の動作をサポートするための保存部１４０のソフトウェア構造を示す図である。図１７によると、保存部１４０には、ベースモジュール３８１０と、デバイス管理モジュール３８２０と、通信モジュール３８３０と、プレゼンテーションモジュール３８４０と、ウェブブラウザモジュール３８５０およびサービスモジュール３８６０を含む。
【０２８３】
ベースモジュール３８１０とは、フレキシブルディスプレイ装置１００に含まれた各ハードウェアから伝達される信号を処理し、上位レイヤモジュールに伝達する基礎モジュールを意味する。
【０２８４】
ベースモジュール３８１０は、ストレージモジュール３８１１と、位置基盤モジュール３８１２と、セキュリティモジュール３８１３およびネットワークモジュール３８１４等を含む。
【０２８５】
ストレージモジュール３８１１とは、データベース（ＤＢ）やレジストリを管理するプログラムモジュールである。位置基盤モジュール３８１２とは、ＧＰＳチップのようなハードウェアと連動して位置基盤サービスをサポートするプログラムモジュールである。セキュリティモジュール３８１３とは、ハードウェアに対する認証（Ｃｅｒｔｉｆｉｃａｔｉｏｎ）、要求許容（Ｐｅｒｍｉｓｓｉｏｎ）、セキュリティ保存（Ｓｅｃｕｒｅ  Ｓｔｏｒａｇｅ）等をサポートするプログラムモジュールであり、ネットワークモジュール３８１４とは、ネットワーク接続をサポートするためのモジュールとして、ＤＮＥＴモジュールやＵＰｎＰモジュール等を含む。
【０２８６】
デバイス管理モジュール３８２０は、外部入力および外部デバイスに対する情報を管理し、それを利用するためのモジュールである。デバイス管理モジュール３８２０は、センシングモジュール３８２１と、デバイス情報管理モジュール３８２２および遠隔制御モジュール３８２３等を含んでよい。例えば、デバイス管理モジュール３８２０は、電子装置２００の情報を管理して利用することができる。
【０２８７】
センシングモジュール３８２１は、検知部１２０内に各種センサから提供されるセンサデータを分析するモジュールである。具体的には、物体の位置やユーザの位置、色相、形、大きさおよびその他のプロフィールを検出する動作を行うプログラムモジュールである。センシングモジュール３８２１は、顔認識モジュール、音声認識モジュール、モーション認識モジュール、ＮＦＣ認識モジュール等を含んでよい。デバイス情報管理モジュール３８２２は、各種デバイスに対する情報を提供するモジュールであり、遠隔制御モジュール３８２３は、電話やテレビ、プリンタ、カメラ、エアコン等のような周辺デバイスを遠隔から制御する動作を行うプログラムモジュールである。例えば、センシングモジュール３８２１は、フレキシブルディスプレイ装置１００のディスプレイ面を判断するために、顔を認識するのに利用されてよい。
【０２８８】
通信モジュール３８３０は、外部と通信を行うためのモジュールである。通信モジュール３８３０は、メッセンジャプログラム、ＳＭＳ（Ｓｈｏｒｔ  Ｍｅｓｓａｇｅ  Ｓｅｒｖｉｃｅ）＆ＭＭＳ（Ｍｕｌｔｉｍｅｄｉａ  Ｍｅｓｓａｇｅ  Ｓｅｒｖｉｃｅ）プログラム、Ｅメールプログラム等のようなメッセージングモジュール３８３１と、電話情報収集器（Ｃａｌｌ  Ｉｎｆｏ  Ａｇｇｒｅｇａｔｏｒ）プログラムモジュール、ＶｏＩＰモジュール等を含む電話モジュール３８３２を含んでよい。
【０２８９】
プレゼンテーションモジュール３８４０は、ディスプレイ画面を構成するモジュールである。プレゼンテーションモジュール３８４０は、マルチメディアコンテンツを再生して出力するためのマルチメディアモジュール３８４１と、ＵＩおよびグラフィック処理を行うＵＩ＆グラフィックモジュール３８４２を含む。マルチメディアモジュール３８４１は、プレーヤモジュールやカムコーダーモジュール、サウンド処理モジュール等を含んでよい。それにより、各種マルチメディアコンテンツを再生して、画面および音響を生成して再生する動作を行う。ＵＩ＆グラフィックモジュール３８４２は、イメージを組み合わせるイメージ合成器（Ｉｍａｇｅ  Ｃｏｍｐｏｓｉｔｏｒ  Ｍｏｄｕｌｅ）３８４２−１、イメージをディスプレイする画面上の座標を組み合わせて生成する座標組み合わせモジュール３８４２−２、ハードウェアから各種イベントを受信するＸ１１モジュール３８４２−３、２Ｄまたは３Ｄ形態のＵＩを構成するためのツール（Ｔｏｏｌ）を提供する２Ｄ／３Ｄ  ＵＩツールキット３８４２−４等を含んでよい。例えば、本発明に係る多様な制御モードＵＩを処理するのに利用されてよい。
【０２９０】
ウェブブラウザモジュール３８５０は、ウェブブラウジングを行ってウェブサーバにアクセスするモジュールを意味する。ウェブブラウザモジュール３８５０は、ウェブページを構成するウェブビュー（ｗｅｂ  ｖｉｅｗ）モジュール、ダウンロードを行うダウンロードエージェントモジュール、ブックマークモジュール、ウェブキット（Ｗｅｂｋｉｔ）モジュール等のような多様なモジュールを含んでよい。
【０２９１】
その他に、サービスモジュール３８６０は、多様なサービスを提供するためのアプリケーションモジュールを意味する。例えば、サービスモジュール３８６０は、マップや現在位置、ランドマーク、ルート情報等を提供するナビゲーションサービスモジュール、ゲームモジュール、広告アプリケーションモジュール等のような多様なモジュールを含んでよい。
【０２９２】
制御部１３０内のメインＣＰＵ１３２は、保存部インターフェース１３５を介して保存部１４０にアクセスし、保存部１４０に保存された各種モジュールをＲＡＭ１３１−２にコピーし、コピーされたモジュールの動作に応じて動作を行う。
【０２９３】
具体的には、メインＣＰＵ１３２は、センシングモジュール３８２１を用いて検知部１２０内の各種センサの出力値を分析し、ベンディング領域、ベンディングライン、ベンディング方向、ベンディング回数、ベンディング角度、ベンディング速度、タッチ領域、タッチ回数、タッチ強度、圧力の大きさ、近接の度合い、ユーザのグリップ強度等を確認した後、確認結果に基づいて、ユーザ操作が意図してのものか否かを判断する。メインＣＰＵ１３２は、ユーザ操作が意図されたものと判断されると、ストレージモジュール２８１０のデータベース（ＤＢ）からユーザ操作に対応する動作に対する情報を検出する。そして、検出された情報に対応するモジュールを駆動させ、動作を行う。
【０２９４】
一例として、ＧＵＩ（Ｇｒａｐｈｉｃ  Ｕｓｅｒ  Ｉｎｔｅｒｆａｃｅ）表示動作の場合なら、メインＣＰＵ１３２は、プレゼンテーションモジュール３８４０内のイメージ組み合わせモジュール３８４２−１を用いて、ＧＵＩ画面を構成する。そして、座標組み合わせモジュール３８４２−２を用いて、ＧＵＩ画面の位置情報を決定し、その位置にＧＵＩ画面を表示するようにディスプレイ部１１０を制御する。
【０２９５】
または、メッセージ受信動作に対応するユーザ操作が行われた場合には、メインＣＰＵ１３２はメッセージングモジュール３８４１を実行させ、メッセージ管理サーバにアクセスした後、ユーザアカウントに保存されたメッセージを受信する。そして、メインＣＰＵ１３２は、プレゼンテーションモジュール３８４０を用いて、受信されたメッセージに対応する画面を構成した後、ディスプレイ部１４０に表示される。
【０２９６】
その他に、電話による通話動作を行う場合には、メインＣＰＵ１３２は電話モジュール３８３２を駆動させることもできる。
【０２９７】
以上のように、保存部１４０には、多様な構造のプログラムが保存されていてよく、制御部１３０は保存部１４０に保存された各種プログラムを用いて上述の多様な実施形態に係る動作を行うことができる。
【０２９８】
図１８および図１９は、本発明の一実施形態に係るユーザインターフェース提供方法を説明するための図である。
【０２９９】
図１８（ａ）に示すように、電子装置２００、例えば、デジタルテレビの画面にウェブページがディスプレイされており、電子装置２００は制御するユーザ端末装置１００は、ウェブページを制御するためのキーボードモードＵＩ１１１＋タッチモードＵＩ１１３を含むユーザインターフェースを提供している。
【０３００】
続いて、電子装置２００の画面に放送チャネルから提供する放送コンテンツがディスプレイされ、ユーザが放送画面を提供するために、フレキシブルディスプレイ装置１００を縦方向に２回フォールディングした場合を仮定する。
【０３０１】
この場合、フレキシブルディスプレイ装置１００は、形の変形情報を電子装置２００に伝送する。
【０３０２】
この場合、電子装置２００では、画面がディスプレイされたコンテンツが必要とする制御モードを判断することができる。例えば、図示のように画面に放送チャネルから受信された放送コンテンツがディスプレイされた場合、電子装置２００でチャネル制御モードである、リモコンモードが必要であると判断し、リモコンモードに対するＵＩ情報をフレキシブルディスプレイ装置１００に伝送することができる。
【０３０３】
電子装置２００からリモコンモードに対するＵＩ情報を受信したフレキシブルディスプレイ装置１００は、形が変形されたディスプレイ面にリモコンモードＵＩ１１２を表示することができる。
【０３０４】
一方、図１８（ｂ）に示すように、電子装置２００、例えば、デジタルテレビのメイン画面にウェブページがディスプレイされており、サブ画面には放送コンテンツがディスプレイされており、電子装置２００は制御するユーザ端末装置１００は、ウェブページをディスプレイするメイン画面および放送コンテンツをディスプレイするサブ画面を制御するためのキーボードモードＵＩ１１１＋タッチモードＵＩ１１３＋リモコンモードＵＩ１１２を含むユーザインターフェースを提供している。
【０３０５】
続いて、電子装置２００の全画面に放送チャネルから提供する放送コンテンツがディスプレイされ、ユーザが放送画面を制御するために、フレキシブルディスプレイ装置２００を縦方向に２回フォールディングした場合を仮定する。
【０３０６】
この場合、フレキシブルディスプレイ装置１００は、形の変形情報を電子装置２００に伝送する。
【０３０７】
この場合、電子装置２００では、画面がディスプレイされたコンテンツが必要とする制御モードを判断することができる。例えば、図示のように画面に放送チャネルから受信された放送コンテンツがディスプレイされた場合、電子装置２００でチャネル制御モードである、リモコンモードが必要であると判断し、リモコンモードに対するＵＩ情報をフレキシブルディスプレイ装置１００に伝送することができる。
【０３０８】
電子装置２００からリモコンモードに対するＵＩ情報を受信したフレキシブルディスプレイ装置１００は、形が変形されたディスプレイ面にリモコンモードＵＩ１１２を表示することができる。
【０３０９】
図１９に示すように、電子装置２００の画面に放送コンテンツがディスプレイされており、電子装置２００は制御するユーザ端末装置１００は、放送コンテンツを制御するためのリモコンモードＵＩ１１２を含むユーザインターフェースを提供している。
【０３１０】
続いて、電子装置２００のメイン画面２１２には、インターネットウェブページがディスプレイされた状態で、カードルがポインティングモードで動作している場合、カーソルの動作を制御するためのタッチモードが必要であると判断することができる。なお、サブ画面２１３に放送チャネルから受信された放送コンテンツがディスプレイされた場合、チャネル制御モードである、リモコンモードが必要であると判断することができる。それにより、電子装置２００は、タッチモード＋リモコンモードに対するＵＩ情報をフレキシブルディスプレイ装置１００に伝送することができる。
【０３１１】
電子装置２００からタッチモード＋リモコンモードに対するＵＩ情報を受信したフレキシブルディスプレイ装置１００は、ディスプレイ面にタッチモードＵＩ１１３＋リモコンモードＵＩ１１２を表示することができる。
【０３１２】
一方、上述の実施形態では、電子装置２００の制御に必要な制御モードのＵＩ情報を電子装置２００が伝送するとして説明したが、それは一例に過ぎず、サーバ３００が制御モードを判断し、当該制御モードＵＩ情報をフレキシブルディスプレイ装置１００に提供するように実現することも可能である。
【０３１３】
図２０は、本発明の一実施形態に係る自動で変更を行う方法を説明するための図である。
【０３１４】
図２０に示すように、電子装置２００でウェブページがディスプレイされており、電子装置２００を制御するための制御モードで動作するフレキシブルディスプレイ装置１００は、キーボードモードＵＩ１１１＋タッチモードＵＩ１１３を提供している。
【０３１５】
その後、電子装置２００でユーザ命令に応じて、放送チャネルから提供する放送コンテンツがディスプレイされると、フレキシブルディスプレイ装置１００は、チャネル選択、音量調節等のためのリモコンモードで動作する必要がある。それにより、フレキシブルディスプレイ装置では、アクチュエータ（図示せず）を用いて、リモコンモードＵＩを提供するための形に自動変形されてよい。
【０３１６】
図２１ないし図２４は、本発明の一実施形態に係るユーザインターフェース画面を説明するための図である。
【０３１７】
図２１ないし図２４に示すように、フレキシブルディスプレイ装置１００のフォールディング形態によって互いに異なるユーザインターフェースが提供されてよい。
【０３１８】
図２１（ａ）に示すように、フレキシブルディスプレイ装置１００が平らな平面状態の場合、ディスプレイ画面には提供可能な全ての制御モードＵＩを含むユーザインターフェースが表示されてよい。例えば、図示のように、キーボードモードＵＩ１１１と、リモコンモードＵＩ１２２と、タッチモードＵＩ１１３を含むユーザインターフェース画面上にディスプレイされてよい。ここで、各制御モードに対応するＵＩは、予め設定された領域にディスプレイされてよいが、ユーザが設定された領域にディスプレイされてよい。なお、図示のように、ユーザインターフェースは２次元平面形態で提供されてよいが、フレキシブルディスプレイ装置１００のフレキシブルな特性に応じて、凹上に３次元形態で提供されてよい。
【０３１９】
図２１（ｂ）および図２１（ｃ）に示すように、フレキシブルディスプレイ装置１００に対するフォールディング操作がある場合、一つまたはそれ以上の制御モードに対するＵＩがディスプレイ部１１０上にディスプレイされてよい。
【０３２０】
例えば、図２１（ｂ）に示すように、フレキシブルディスプレイ装置１００が縦方向に１回フォールディングされる場合、フォールディングされた形態に合ったキーボードモードＵＩ１１１およびタッチモードＵＩ１１３を含むユーザインターフェースが表示されてよい。
【０３２１】
なお、図２１（ｃ）に示すように、フレキシブルディスプレイ装置１００が横方向に１回フォールディングされる場合、フォールディングされた形態に合ったキーボードモードＵＩ１１１およびリモコンモードＵＩ１１３を含むユーザインターフェースが表示されてよい。
【０３２２】
ただ、それは一実施形態に過ぎず、フォールディング形態によって各制御モードは多様な形態で組み合わせられてディスプレイされてよい。
【０３２３】
図２２（ａ）に示すように、フレキシブルディスプレイ装置１００が縦方向に２回フォールディングされる場合、フォールディングされた形態に合ったリモコンモードＵＩ１１２を含むユーザインターフェースが表示されてよい。
【０３２４】
または、図２２（ｂ）および図２２（ｃ）に示すように、フレキシブルディスプレイ装置１００が横方向に２回フォールディングされる場合、フォールディングされた形態に合ったキーボードモードＵＩを含むＵＩ１１１またはタッチモードＵＩを含むＵＩ１３が表示されてよい。
【０３２５】
または、図２２（ｄ）に示すように、フレキシブルディスプレイ装置１００が横方向に１回、縦方向に１回フォールディングされる場合、フォールディングされた形態に合ったキーボードモードＵＩを含むＵＩ１１１またはリモコンモードＵＩを含むＵＩ１１２またはタッチモードＵＩを含むＵＩ１１３が表示されてよい。
【０３２６】
すなわち、図２１および図２２に示すように、フォールディングによるディスプレイ画面の面積に応じて表示される制御モードの数が異なってよい。以下では、説明の便宜のため、１回のフォールディングで一つの制御モードを含むユーザインターフェースが提供される場合を想定して説明する。
【０３２７】
図２３に示すように、フレキシブルディスプレイ装置１００のフォールディング方向に応じて互いに異なるユーザインターフェースが提供されてよい。
【０３２８】
図２３に示すように、フレキシブルディスプレイ装置１００が右方にフォールディングされる場合、キーボードモードＵＩ１１１を含むユーザインターフェースが表示（左側下部）され、上方にフォールディングされる場合、リモコンモードＵＩ１１２を含むユーザインターフェースが表示（右側下部）され、左方にフォールディングされる場合、タッチモードＵＩ１１３を含むユーザインターフェースが表示（右側上部）されてよい。
【０３２９】
図２４に示すように、フレキシブルディスプレイ装置１００のローリング形態に応じて互いに異なるユーザインターフェースが提供されてよい。
【０３３０】
図２４（ａ）に示すように、フレキシブルディスプレイ装置１００の全面がローリングされる場合、ローリングされた形のフレキシブルディスプレイ装置１００は、ポインティング機能を提供してよい。
【０３３１】
なお、図２４（ｂ）および図２４（ｃ）に示すように、フレキシブルディスプレイ装置１００の一部領域がローリングされる場合、ローリングされていない領域にＵＩが表示されてよい。
【０３３２】
例えば、図２４（ｂ）に示すように、ローリングされていない領域が予め設定された面積未満である場合、リモコンモードＵＩ１１２を含むユーザインターフェースが表示されてよく、図２４（ｃ）に示すように、ローリングされていない領域が予め設定された面積を超過する場合、キーボードモードＵＩ１１１を含むユーザインターフェースが表示されてよい。
【０３３３】
ただ、それは一実施形態に過ぎず、場合によっては、ローリングされていない領域が予め設定された面積を超過する場合、２つの制御モードＵＩを含む形態のユーザインターフェースが表示されてよい。
【０３３４】
一方、上述の実施形態では、フォールディングおよびローリングが同時に行われる場合については示していないが、場合によっては、フレキシブルディスプレイ装置１００の一部領域はフォールディングされ、残りの領域は、ローリングされる形に変形されてよく、この場合にも、当該形の変形に合った形態の制御モードＵＩが提供されてよい。
【０３３５】
一方、図示はしていないが、フレキシブルディスプレイ装置１００がローリングされた状態でも、キーボードモードＵＩをディスプレイすることができ、ローリングがより多く行われると、画面に表示された制御モードＵＩがリモコンモードＵＩに変更されてよい。すなわち、フレキシブルディスプレイ装置１００は、ローリング強度に応じて互いに異なるユーザインターフェースを提供してよい。
【０３３６】
図２４（ｄ）に示すように、フレキシブルディスプレイ装置１００がローリングされた状態で、特定領域を予め設定された圧力で押す動作によって、フレキシブルディスプレイ装置１００が平面状に変更されてよい。この場合、平形状に変更された画面には、変更された形態に対応する制御モードＵＩがディスプレイされてよい。例えば、図示のように、リモコンモードＵＩ１１２がディスプレイされてよい。一方、図示の例で、全画面がローリングされた上側の図面のような形態では、ポインティング機能を実行するポインティングモードで動作することができる。ここで、ポインティング機能は、被制御装置上にディスプレイされたポインタを制御することができる。
【０３３７】
図２５は、本発明の一実施形態に係るユーザインターフェース提供方法を説明するための図である。
【０３３８】
図示のように、フレキシブルディスプレイ装置１００のフォールディング状態が異なる場合でも、同様の制御モードＵＩを提供することができるが、その表示形態がディスプレイ面に合うように変更されてよい。
【０３３９】
例えば、図２５（ａ）に示すように、フレキシブルディスプレイ装置１００のフォールディングが行われていない状態では、キーボードの全体領域がディスプレイされてよく、図２５（ｂ）に示すように、フレキシブルディスプレイ装置１００が半分に１回フォールディングされた状態では、キーボードの一部領域がディスプレイされてよく、図２５（ｃ）に示すように、フレキシブルディスプレイ装置１００が２回フォールディングされた状態では、キーボードの略式形態がディスプレイされてよい。ただ、略式のキーをディスプレイする代わりに、アプリケーションの構成またはユーザの好みに応じてキーボードの大きさは変更できてよい。
【０３４０】
図２６は、本発明の一実施形態に係るユーザインターフェース表示領域設定方法を説明するための図である。
【０３４１】
図２６（ａ）に示すように、ユーザはタッチアンドドラッグ（ｔｏｕｃｈ  ａｎｄ  ｄｒａｇ）動作を通じて、複数の制御モードＵＩの各々を提供する領域を設定することができる。
【０３４２】
なお、図２６（ｂ）および図２６（ｃ）に示すように、領域設定を通じて画面に表示される制御モードＵＩの数まで設定することも可能である。
【０３４３】
例えば、図２６（ｂ）に示すようなフォールディング面全体を一つの領域に設定することにより、フレキシブルディスプレイ装置１００がフォールディングされた状態で、フォールディング面全体で一つの制御モードを提供するように選択することができ、図２８（ｃ）に示すようなフォールディング面を二つの領域に分離して設定することにより、フレキシブルディスプレイ装置１００がフォールディングされた状態で、フォールディング面全体で二つの制御モードを提供するように選択することができる。
【０３４４】
この場合、図示のように、ユーザのタッチ軌跡がハイライトされるように表示し、ユーザの領域設定に対するフィードバックを提供することができる。
【０３４５】
図２７は、本発明の一実施形態に係る制御モードＵＩ選択方法を説明するための図である。
【０３４６】
図２７の上側に示すように、フレキシブルディスプレイ装置１００に対するフォールディング操作がない場合、ディスプレイ部１１０に提供可能な全ての制御モードＵＩを含むユーザインターフェースが表示されてよい。例えば、図示のように、キーボードモードＵＩ１１１と、リモコンモードＵＩ１１２と、タッチモードＵＩ１３３を含むユーザインターフェースが画面上にディスプレイされてよい。
【０３４７】
なお、各モード領域には、当該モードＵＩをユーザインターフェースから除外させるための選択メニュー１１１−１、１１２−１、１１３−１がディスプレイされてよい。それにより、ユーザは選択メニュー１１１−１、１１２−１、１１３−１を用いて、各ＵＩ１１１、１１２、１１３を選択的に活性化したり、非活性化することができる。
【０３４８】
一方、ユーザインターフェース上に含まれた複数の制御モードＵＩのうち、リモコンモードＵＩ１１２を除外させるためのユーザ命令が入力された後、フレキシブルディスプレイ装置１００のフォールディング操作がある場合、キーボードモードＵＩ１１１およびタッチモードＵＩ１１３がフォールディングされた画面上にディスプレイされてよい。
【０３４９】
図２８は、本発明の一実施形態にユーザ把持動作に係るユーザインターフェース変更方法を説明するための図である。
【０３５０】
図２８に示すように、フレキシブルディスプレイ装置１００がフォールディングされた状態で、リモコンモードＵＩ１１２およびタッチモードＵＩ１１３を含むユーザインターフェースがディスプレイされた状態（上側の図）で、ユーザの把持動作がある場合、ユーザの把持動作のある領域とオーバーラップされないように、リモコンモードＵＩ１１２およびタッチモードＵＩ１１３の形が変形されてディスプレイされてよい（下側の図）。ここで、ＵＩ形態は、ＵＩの大きさ、横縦の比率等であってよい。
【０３５１】
図２９および図３０は、本発明の多様な実施形態に係るメニューＵＩ提供方法を説明するための図である。
【０３５２】
図２９に示すように、フレキシブルディスプレイ装置１００が平らな平面状態で制御モード選択のためのメニューＵＩ１４１がディスプレイされ、そのうちの一つのモード、例えば、制御モードＵＩが提供されてよい。
【０３５３】
ただ、フレキシブルディスプレイ装置１００が平らな平面状態でメニューＵＩが提供されることは一実施形態に過ぎず、フレキシブルディスプレイ装置１００がフォールディングされた状態や、ローリングされた状態または別の形の変形でメニューＵＩを提供することも可能である。
【０３５４】
図３０に示すように、フレキシブルディスプレイ装置１００がローリングされた状態で、制御モードを選択するためのメニューＵＩ１４１を提供することができる。例えば、フレキシブルディスプレイ装置１００から提供可能な制御モードがバー（Ｂａｒ）状のメニューでディスプレイされてよい（上側の図）。
【０３５５】
図示のバー状のメニューでユーザがキーボードモードを選択する場合、選択されたキーボードモードに対応するキーボードモードＵＩ１１１がディスプレイされてよい（中間の図）。この場合、例えば、選択はユーザのタッチアンドホールド（ｔｏｕｃｈ  ａｎｄ  ｈｏｌｄ）入力操作、ユーザのタッチアンドフリック（ｔｏｕｃｈ  ａｎｄ  ｆｌｉｃｋ）、ユーザのダブルタッチ（ｄｏｕｂｌｅ  ｔｏｕｃｈ）操作等で実現されてよい。
【０３５６】
なお、ユーザがフレキシブルディスプレイ装置１００の特定領域を握り回転させると、回転程度に応じてディスプレイされたキーボードモードＵＩ１１１に含まれた客体も同時に回転されディスプレイされてよい（下側の図）。ただ、別の実施形態によると、フレキシブルディスプレイ装置１００のキーボード領域をドラッグすることにより、キーボードモードＵＩ１１１に含まれた客体がスクロールされてよい。すなわち、ディスプレイされたキーボードモードＵＩ１１１に含まれた客体が消え、ディスプレイされていないキーボードモードＵＩ１１１に含まれた客体がディスプレイされてよい。
【０３５７】
一方、上述のように、ローリング強度を強める場合、別の制御モードを含むユーザインターフェースが提供されてよい。
【０３５８】
図３１ないし図３３は、本発明の別の実施形態に係るＵＩ提供方法を説明するための図である。
【０３５９】
図３１に示すように、フレキシブルディスプレイ装置１００が車両４０００のセンターフェシア部分に付着される場合、その変形形態に応じて車両制御に関連する多様なＵＩ画面を提供することができる。
【０３６０】
例えば、図示のように、フレキシブルディスプレイ装置１００が１回フォールディングされ、車両４０００のセンターフェシア部分に付着されると、センターフェシア部分を通じて提供される多様な機能を制御できるＵＩを提供することができる。
【０３６１】
例えば、ナビゲーションモードＵＩ１１４０を提供することができる。なお、２回フォールディングされて付着される場合には、他の機能を提供することができるＵＩを提供するように実現されてよい。
【０３６２】
なお、図示はしていないが、フレキシブルディスプレイ装置１００は、車両４０００の特定部位に装着し、当該業者からネットワークを通じて画面制御情報を受信してディスプレイする機能を実行することができる。例えば、エンジンオイル、冷却水、エンジン状態（エンジンの音、車両の振動）、タイヤ状態、タイミングベルト状態、ホイールバランス、ブレイクペダル磨耗具合、エアコンガス、不凍液状態等のように、車両計器板に表示されていない項目に対する制御ＵＩを提供することができる。
【０３６３】
なお、図３２に示すように、フレキシブルディスプレイ装置１００が車両４０００の後部座席から見ることのできる位置に付着される場合、テレビや映画視聴等多様なディスプレイ機能およびＵＩ１１５０を提供することができる。
【０３６４】
一方、図３２に示す実施形態の場合にも、フレキシブルディスプレイ装置１００の装置の形態が変更されると、形の変形情報がサーバ３００、例えば、車両管理サーバ等に伝送され、サーバ３００から変形された形に対応するディスプレイ画面データを受信することができる。
なお、図３３に示すように、フレキシブルディスプレイ装置１００は、ディスプレイ機能のない電子装置、例えば、冷蔵庫５０００等に付着され、冷蔵庫５０００機能を制御するための制御ＵＩ１１６０を提供することができる。例えば、“温度調整”、“パワー調整”等のメニュー項目を含むユーザインターフェースを提供することができる。
【０３６５】
一方、図３３に示す実施形態の場合にも、フレキシブルディスプレイ装置１００の装置の形態が変更されると、形の変形情報がサーバ３００、例えば、ホームネットワークサーバ等に伝送し、サーバ３００から変形された形に対応するディスプレイ画面データを受信することができる。
【０３６６】
図３２および図２２に示す実施形態でも、フレキシブルディスプレイ装置１００と、サーバ３００と、車両４０００および冷蔵庫５０００間のデータ送受信の流れは、上述の基本実施形態の場合と類似しているため、詳細な説明は省略する。
【０３６７】
図３４は、本発明の別の実施形態に係るメニューＵＩ提供方法を説明するための図である。
【０３６８】
図３４（ａ）に示すように、フレキシブルディスプレイ装置１００によって制御される被制御機器は、多様な機器であってよい。例えば、ホームネットワーク内の多様な機器がフレキシブルディスプレイ装置１００によって制御されてよい。
【０３６９】
それにより、図３４（ｂ）に示すように、フレキシブルディスプレイ装置１００から被制御機器を選択するためのメニューＵＩが提供されてよい。
【０３７０】
図３５は、本発明の別の実施形態に係るユーザインターフェース提供方法を説明するための図である。
【０３７１】
図３５に示すように、フレキシブルディスプレイ装置１００が２回フォールディングされた状態で、リモコンモードＵＩ１１２が提供されており、リモコンモードＵＩ１１２の一側には被制御機器表示メニュー１１５および被制御機器変更メニュー１１４が提供されている（上左側の図）。
【０３７２】
被制御機器変更ボタン１１４が選択されると、被制御機器表示メニュー１１５に表示された被制御機器が変更され、リモコンモードＵＩ１１２が提供されていた領域には、変更された被制御機器、すなわち、パソコンを制御するための制御モード、例えば、キーボードモードおよびタッチモードに対応するＵＩを提供するように、ユーザはフレキシブルディスプレイ装置１００を変形させることができる（上右側の図）。
【０３７３】
ユーザがフレキシブルディスプレイ装置１００の形を変形させると、キーボードモードＵＩおよびタッチモードＵＩが提供されてよい（下部の図）。
【０３７４】
図３６および図３７は、本発明の別の実施形態に係るＵＩ提供方法を説明するための図である。
【０３７５】
図３６に示すように、ユーザモーションを通じてディスプレイ面に表示された制御モードＵＩを変更することも可能であってよい。
【０３７６】
例えば、図３６に示すように、フレキシブルディスプレイ装置１００が２回フォールディングされ、一画面に複数の制御モードを同時に盛り込むことができない場合等には、ユーザモード、例えば、ディスプレイ面をタッチした状態で、機器を回転させるモードを通じて制御モードＵＩを変更することができる。図３６に示すように、キーボードモード１１１がディスプレイされてよく、フレキシブルディスプレイ装置１００が回転されると、遠隔制御ＵＩ１１２がディスプレイされるか、タッチＵＩ１１３がディスプレイされてよい。この場合、回転する方向に応じて示す順番が変更されてよい。
【０３７７】
ただ、それは一実施形態に過ぎず、ディスプレイ面をタッチした状態で、ツイストしたり、ツータッチ、トリプルタッチ等の操作を通じても制御モードＵＩを変更することができる。
【０３７８】
図３７に示すように、指定された領域をタッチして表示された制御モードＵＩを変更することも可能である。
【０３７９】
例えば、図示のように、フレキシブルディスプレイ装置１００の上段に隠れているメニューを下方にドラッグし、変形または別の入力によってディスプレイしてよく、当該メニューで変更しようとする制御モードＵＩを選択することができる。
【０３８０】
図３８は、本体に内蔵されたフレキシブルディスプレイ装置の形態の一例を示す図である。
【０３８１】
図３８によると、フレキシブルディスプレイ装置１００は、本体５７００と、ディスプレイ部１１０と、グリップ部５７１０を含んでよい。
【０３８２】
本体５７００は、ディスプレイ部１１０を収める一種の筐体の役割を担う。フレキシブルディスプレイ装置１００が、図２６のように、多様な構成要素を含む場合、ディスプレイ部１１０および一部センサを除く残りの構成要素は本体５７００に搭載されてよい。本体５７００は、ディスプレイ部１１０をローリングさせる回転ローラを含む。それにより、未使用時にはディスプレイ部１１０は回転ローラを中心にローリングされ、本体５７００の内部に内蔵されてよい。
【０３８３】
ユーザがグリップ部５７１０を把持して引っ張るようになると、回転ローラがローリングの反対方向に回転しながらローリングが解除され、ディスプレイ部１１０が本体５７００の外部に飛び出るようになる。回転ローラには、ストッパーが設けられてよい。それにより、ユーザがグリップ部５７１０を一定距離以上に引っ張ると、ストッパーによって回転ローラの回転が停止され、ディスプレイ部１１０が固定されてよい。それにより、ユーザは外部に露出しているディスプレイ部１１０を用いて各種機能を実行させることができる。一方、ユーザがストッパーを解除するためのボタンを押すと、ストッパーが解除されつつ、回転ローラが逆方向に回転し、結果的に、ディスプレイ部１１０が本体５１００内に再びローリングされてよい。ストッパーは、回転ローラを回転させるためのギアの動作を停止させるスイッチ形状であってよい。回転ローラおよびストッパーに対しては、通常のローリング構造体で使用される構造がそのまま利用されてよいことから、それに対する具体的な図示および説明は省略する。
【０３８４】
一方、本体５７００には、電源部５００が含まれる。電源部５００は、使い捨てのバッテリが装着されたバッテリ接続部と、ユーザが複数回充電して使用できる２次電池、太陽熱を用いて発電を行う太陽電池等のように、多様な形態で実現されてよい。２次電池で実現される場合、ユーザは本体５７００と外部電源を有線で接続して電源部５００を充電させることができる。
【０３８５】
図３８では、円筒型構造の本体５７００が示されているが、本体５７００の形状は四角やその他の多角形のように実現されてよい。なお、ディスプレイ部１１０が本体５７００から内蔵された状態で、プーリング（Ｐｕｌｌｉｎｇ）によって外部に露出する形態ではなく、本体の外部を包む形態やその他の多様な形態で実現されてよい。
【０３８６】
図３９は、電源部５００が脱・付着自在の形態のフレキシブルディスプレイ装置を示す図である。図３９によると、電源部５００は、フレキシブルディスプレイ装置の一側の周縁に設けられ、脱・付着されてよい。
【０３８７】
電源部５００は、フレキシブルな材質で実現され、ディスプレイ部１１０とともにベンディングされてよい。具体的には、電源部５００は、負極集電体、負極電極、電解質部、正極電極、正極集電体およびこれらを覆う被覆部を含んでよい。
【０３８８】
一例として、集電体は、弾性特性が優れたＴｉＮｉ系のような合金類、銅アルミニウム等のような純金属類、炭素がコーティングされた純金属、炭素、炭素繊維等のような導電性物質、ポリピロールのような伝導性高分子等で実現されてよい。
【０３８９】
負極電極は、リチウム、ナトリウム、亜鉛、マグネシウム、カドミウム、水素吸蔵合金、鉛等の金属類と、炭素等の非金属類そして、有機硫のような高分子電極物質のような負電極物質で製作されてよい。
【０３９０】
正極電極は、硫および硫化物、ＬｉＣｏＯ２等のリチウム遷移金属酸化物、ＳＯＣｌ２、ＭｎＯ２、Ａｇ２Ｏ、Ｃｌ２、ＮｉＣｌ２、ＮｉＯＯＨ、高分子電極等の正電極物質で製作されてよい。電解質部は、ＰＥＯ、ＰＶｄＦ、ＰＭＭＡ、ＰＶＡＣ等を利用したジェル（ｇｅｌ）状に実現されてよい。
【０３９１】
被覆部は、通常の高分子樹脂を使用してよい。例えば、ＰＶＣ、ＨＤＰＥやエポシキ樹脂等が使用されてよい。その他に、糸状の電池の破損を防止しつつ、自由に曲がることができる材質なら、被覆部として使用されてよい。
【０３９２】
電源部５００内の正極電極および負極電極は、各々外部と電気的に接続するためのコネクタを含んでよい。
【０３９３】
図３９によると、コネクタが電源部５００から突出している形態で形成され、ディスプレイ部１１０にはコネクタの位置、大きさ、形状に対応する溝が形成される。それにより、コネクタおよび溝の結合によって電源部５００がディスプレイ部１１０と結合されてよい。電源部５００のコネクタは、フレキシブルディスプレイ装置１００の内部の電源接続パッド（図示せず）と接続されて電源を供給することができる。
図３９では、電源部５００がフレキシブルディスプレイ装置１００の一側の周縁で脱・付着自在な形態で示しているが、それは一例に過ぎず、電源部５００の位置および形態は製品の特性に応じて多様に異なってよい。仮に、フレキシブルディスプレイ装置１００がある程度の厚さを有する製品である場合には、フレキシブルディスプレイ装置１００の背面に電源部５００が装着されてよい。
【０３９４】
一方、上述の多様な実施形態では、変形やタッチ等のようなユーザ操作が行われた後、その操作が保存された操作や入力に対応するか否かに応じて対応する動作が行われる。
【０３９５】
図４０は、本発明の一実施形態に係る電子装置の構成を説明するためのブロック図である。
【０３９６】
図４０によると、電子装置２００は、通信部２１０と、保存部２２０と、ディスプレイ部２３０および制御部２４０を含む。
【０３９７】
電子装置２００は、フレキシブルディスプレイ装置１００によって制御される多様なデバイスで実現可能であり、例えば、デジタルテレビやパソコン、ＤＶＤ、エアコン、冷蔵庫、ナビゲーション装置等、多様な形態で実現可能である。ただ、以下では説明の便宜上、電子装置２００がデジタルテレビで実現される場合を想定して説明する。
【０３９８】
通信部２１０は、フレキシブルディスプレイ装置１００、４００およびサーバ３００の少なくとも一つの通信を行う機能を担う。通信部２１０は、Ｗｉ−Ｆｉ（Ｗｉｒｅｌｅｓｓ  Ｆｉｄｅｌｉｔｙ）、イーサネット、ＴＣＰ／ＩＰ、ＩＰＸ、ファイヤーワイヤー、ＩＥＥＥ １３９４、ｉＬｉｎｋ、ＣＤＭＡ、ＴＤＭＡ、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ）、Ｗｉｒｅｌｅｓｓ  ＨＤＭＩ−ＣＥＣ、ＢＴ（ＢｌｕｅＴｏｏｔｈ）等の通信方式を用いてインターネットまたはＬＡＮを通じて通信することができる。
【０３９９】
通信部２１０は、フレキシブルディスプレイ装置１００から形の変形情報を受信することができる。ここで、形の変形情報は、変形されたディスプレイ形態情報、ＵＩ提供のために選択されたディスプレイ面情報等であってよい。この場合、ディスプレイ形態情報は、例えば、長方形の場合は横縦の長さ、多角形の場合は頂点情報、横縦の長さを示すテーブルのインデックス、ディスプレイ面の大きさ等のような画面情報であってよい。なお、通信部２１０は、形の変形情報の他に、フレキシブルディスプレイ装置１００の機器情報、使用しようとする制御モード情報のうち、少なくとも一つを受信してよい。なお、フレキシブルディスプレイ装置１００からユーザが望む制御モードを手動で選択した場合、当該情報まで受信することができる。
【０４００】
保存部２２０は、電子装置２００を動作させるために必要な各種プログラム等が保存される保存媒体として、メモリ、ＨＤＤ（Ｈａｒｄ  Ｄｉｓｋ  Ｄｒｉｖｅ）等で実現可能である。
【０４０１】
特に、保存部２２０は、フレキシブルディスプレイ装置１００から制御信号を認識するための機器ドライバ等を保存してよい。
【０４０２】
なお、保存部２２０は、フレキシブルディスプレイ装置１００に関する多様なＵＩ情報を保存していてよい。具体的に、保存部２２０は、各制御モードに対応するＵＩ情報を含んでよい。ここで、ＵＩ情報は、各制御モードに対応するＵＩに含まれる多様な入力ツール領域および配置情報であってよい。
【０４０３】
ディスプレイ部２３０は、電子装置２００の機能に関連する多様なディスプレイ画面を提供することができる。
【０４０４】
ここで、ディスプレイ部２３０は、液晶ディスプレイ（ｌｉｑｕｉｄ  ｃｒｙｓｔａｌ  ｄｉｓｐｌａｙ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ）、有機発光ダイオード（ｏｒｇａｎｉｃ  ｌｉｇｈｔ−ｅｍｉｔｔｉｎｇ  ｄｉｏｄｅ）、フレキシブルディスプレイ（ｆｌｅｘｉｂｌｅ  ｄｉｓｐｌａｙ）、３次元ディスプレイ（３Ｄ  ｄｉｓｐｌａｙ）のうち、少なくとも一つで実現されてよい。
【０４０５】
特に、ディスプレイ部２３０は、制御部２４０の制御に応じて、フレキシブルディスプレイ装置１００から受信された制御命令に対応する多様なディスプレイ画面を提供することができる。
【０４０６】
制御部２４０は、電子装置２００の動作全般を制御する機能を担う。
【０４０７】
制御部２４０は、通信部２１０を介して受信された形の変形情報、機器情報等に基づいて、フレキシブルディスプレイ装置１００に提供するＵＩ情報を決定することができる。
【０４０８】
なお、制御部２４０は、現在の電子装置２００で現在再生されている画面情報を考慮して、ＵＩ情報を決定することができる。
【０４０９】
例えば、フレキシブルディスプレイ装置１００から受信された形の変形情報が“横軸に２回フォールディング”に関する情報であり、当該情報に対応する制御モードＵＩがキーボードモードＵＩまたはリモコンモードで保存部２２０に保存されている場合について説明する。この場合、電子装置２００のディスプレイ部２３０を介して放送チャネルから提供する放送コンテンツがディスプレイされている場合なら、制御部２４０は当該画面の制御に必要なリモコンモードＵＩを提供することができる。それにより、ユーザの意図が反映されたＵＩを提供できるようになる。
【０４１０】
なお、制御部２４０は、提供する制御モードＵＩが決定されると、形の変形情報に基づいてベンディングで分割された面のうち、ＵＩをディスプレイするディスプレイ面を判断する。
【０４１１】
なお、制御部２４０は、形の変形情報に基づいて、ディスプレイ面の大きさおよび模様等、ディスプレイ領域を決定する。
【０４１２】
なお、制御部２４０は、決定されたディスプレイ領域に基づいて当該制御モードＵＩに含まれた入力ツールの大きさおよび配置形態を決定することができる。
【０４１３】
この場合、後述の表３に記載の内容に基づいて、当該制御モードＵＩに含まれた入力ツールの大きさおよび配置形態を決定することができ、それに対する詳細な説明は後述する。
【０４１４】
一方、通信部２１０を通じてユーザが望む制御モードを受信した場合には、当該制御モードに対応するＵＩ情報を提供することもできる。
【０４１５】
図４１は、本発明の一実施形態に係るサーバの構成を説明するためのブロック図である。
【０４１６】
図４１に示すように、サーバ３００は、通信部３１０と、保存部３２０および制御部３３０を含む。
【０４１７】
通信部３１０は、フレキシブルディスプレイ装置１００およびフレキシブルディスプレイ装置１００の被制御機器の電子装置２００の少なくとも一つの通信を行う機能を担う。
【０４１８】
ここで、通信部３１０は、インターネット、ＬＡＮ、Ｗｉ−Ｆｉ（Ｗｉｒｅｌｅｓｓ  Ｆｉｄｅｌｉｔｙ）、イーサネット、ＴＣＰ／ＩＰ、ＩＰＸ、ファイヤーワイヤー、ＩＥＥＥ １３９４、ｉＬｉｎｋ、ＣＤＭＡ、ＴＤＭＡ、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ）、Ｗｉｒｅｌｅｓｓ  ＨＤＭＩ−ＣＥＣ、ＢＴ（ＢｌｕｅＴｏｏｔｈ）等の通信方式を利用してよい。
【０４１９】
通信部３１０は、フレキシブルディスプレイ装置１００およびフレキシブルディスプレイ装置１００の被制御機器の電子装置２００からフレキシブルディスプレイ装置１００の形の変形情報を受信することができる。ここで、形の変形情報は、変形されたディスプレイ形態情報、ＵＩ提供のために選択されたディスプレイ面情報等であってよい。この場合、ディスプレイ形態情報は、例えば、長方形の場合は横縦の長さ、多角形の場合は頂点情報、横縦の長さを示すテーブルのインデックス、ディスプレイ面の大きさ等のような画面情報であってよい。
【０４２０】
一方、電子装置２００からフレキシブルディスプレイ装置１００の形の変形情報を受信する場合には、フレキシブルディスプレイ装置１００から電子装置２００に自己の形の変形情報を伝送した場合であってよい。
【０４２１】
なお、通信部３１０は、形の変形情報の他に、フレキシブルディスプレイ装置１００の機器情報、使用しようとする制御モード情報、電子装置２００の機器情報のうち、少なくとも一つを更に受信してよい。
【０４２２】
なお、フレキシブルディスプレイ装置１００でユーザが望む制御モードを手動で選択した場合、当該情報まで受信することができる。
【０４２３】
保存部３２０は、フレキシブルディスプレイ装置１００に関する多様なＵＩ情報を保存していてよい。具体的に、保存部３２０は、各制御モードに対応するＵＩ情報を含んでいてよい。ここで、ＵＩ情報は、各制御モードに対応するＵＩに含まれる多様な入力ツール領域および配置情報であってよい。
【０４２４】
制御部３３０は、サーバ３００の動作全般を制御する機能を担う。
【０４２５】
制御部３３０は、通信部３１０を介して受信された形の変形情報、機器情報等に基づいて、フレキシブルディスプレイ装置１００に提供するＵＩ情報を決定することができる。
【０４２６】
なお、制御部３３０は、現在の電子装置２００から提供する画面情報を考慮して、ＵＩ情報を決定することができる。
【０４２７】
例えば、フレキシブルディスプレイ装置１００から受信された形の変形情報が“横軸に２回フォールディング”に関する情報であり、当該情報に対応する制御モードＵＩがキーボードモードＵＩまたはリモコンモードで保存部３２０に保存されている場合について説明する。この場合、電子装置２００のディスプレイ部２３０を介して放送チャネルから提供する放送コンテンツがディスプレイされている場合なら、制御部３３０は当該情報を電子装置２００から受信して当該ディスプレイ画面の制御に必要なリモコンモードＵＩ情報をフレキシブルディスプレイ装置に提供することができる。それにより、ユーザの意図が反映されたＵＩを提供できるようになる。ただ、電子装置２００のディスプレイ部２３０を介して提供される画面情報は、場合によって、フレキシブルディスプレイ装置１００から受信することも可能である。
【０４２８】
なお、制御部３３０は、提供する制御モードＵＩが決定されると、形の変形情報に基づいてベンディングで分割された面のうち、ＵＩをディスプレイするディスプレイ面を判断する。
【０４２９】
なお、制御部３３０は、形の変形情報に基づいて、ディスプレイ面の大きさおよび模様等、ディスプレイ領域を決定する。
【０４３０】
なお、制御部３３０は、決定されたディスプレイ領域に基づいて当該制御モードＵＩに含まれた入力ツールの大きさおよび配置形態を決定することができる。
【０４３１】
以下では、フレキシブルディスプレイ装置１００の形に変形によるディスプレイ領域指定方法を表３を通して説明する。
【０４３２】
【表３】
2013218696.tif 000005
【０４３３】
一方、通信部３１０を介してユーザが望む制御モードを受信した場合には、当該制御モードに対応するＵＩ情報をディスプレイ面に合うように生成または再構成して提供することもできる。
【０４３４】
図４２は、本発明の一実施形態に係るフレキシブルディスプレイ装置のＵＩ提供方法を説明するためのフローチャートである。
【０４３５】
図４２に示すフレキシブルディスプレイ装置のＵＩ提供方法は、まず、ディスプレイ部の形の変形を検知する（Ｓ４４１０）。ここで、形の変形は、ローリング形態およびフォールディング形態の少なくとも一方であってよい。
【０４３６】
続いて、検知された形の変形に対応するユーザインターフェースを表示する（Ｓ４４２０）。ここで、ユーザインターフェースは、被制御機器へのインターフェースで他機器を制御可能な形態であってよい。
【０４３７】
具体的に、ユーザインターフェースは、被制御機器を制御できる少なくとも一つの制御モードを含んでよい。例えば、制御モードは、キーボードモード、リモコンモードおよびタッチモードのうち、少なくとも一つを含んでよい。
【０４３８】
なお、ユーザインターフェースを表示するステップは、複数の制御モードの各々に対応するＵＩ情報を用いて検知された形の変形に対応するユーザインターフェースを表示してよい。
【０４３９】
なお、ユーザインターフェースを表示するステップは、被制御機器から受信されたＵＩ情報を用いてユーザインターフェースを表示することができる。
【０４４０】
なお、検知された形の変形に対応する信号を被制御機器に伝送し、他機器から被制御機器から発生されたイベントに基づいた形の変形に対応するＵＩ情報を受信してよい。
【０４４１】
なお、サーバから受信された形の変形に対応するＵＩ情報を用いて、ユーザインターフェースを表示することができる。
【０４４２】
なお、検知された形の変形に対応する信号をサーバに伝送し、サーバから形の変形に対応するＵＩ情報を受信することができる。
【０４４３】
なお、検知された形の変形に対応する信号は、形の変形によって露出されるディスプレイ装置に対する情報を含んでよい。
【０４４４】
なお、ユーザインターフェースは、被制御機器を変更するための機器選択領域を含んでよい。
【０４４５】
図４３は、本発明の別の実施形態に係るフレキシブルディスプレイ装置のＵＩ提供方法を説明するためのフローチャートである。
【０４４６】
図４３に示すフレキシブルディスプレイ装置の制御方法は、まず、ディスプレイ部の形の変形を検知する（Ｓ４５１０）。
【０４４７】
続いて、検知された形の変形に対応する第１情報を被制御機器に伝送し、伝送された第１情報に対応する応答として、被制御機器から第２情報を受信する（Ｓ４５２０）。
【０４４８】
その後、第２情報に基づいて、ユーザインターフェースを表示する（Ｓ４５３０）。ここで、ユーザインターフェースは、被制御機器と連動して被制御機器を制御できる形態であってよい。具体的に、ユーザインターフェースは、被制御機器を制御できる少なくとも一つの制御モードを含んでよい。
【０４４９】
ここで、第１情報は、検知された形の変形に対応する信号であり、第２情報は、形の変形に対応するＵＩ情報であってよい。
【０４５０】
なお、第１情報は、検知された形の変形に対応するディスプレイ部の大きさ情報を含んでよい。
【０４５１】
なお、ユーザから形が変形された状態で、ユーザインターフェースに対応する面に対する選択を入力されてよい。
【０４５２】
上述の多様な実施形態で説明したように、フレキシブルディスプレイ装置の形の変形に対応する他機器制御用のユーザインターフェースを提供することができるようになる。なお、被制御機器から提供するコンテンツ特性によって、対応する形態のＵＩを提供することができるようになる。このような方法は、アプリケーションで実現されてよい。
【０４５３】
具体的には、本発明の一実施形態によると、フレキシブルディスプレイ装置に具備されたディスプレイ部の形の変形を検知するステップと、検知された形の変形に対応するユーザインターフェースを表示するステップとを実行するプログラムが保存された非一時的な読み取り可能な媒体（Ｎｏｎ−ｔｒａｎｓｉｔｏｒｙ  ｃｏｍｐｕｔｅｒ  ｒｅａｄａｂｌｅ  ｍｅｄｉｕｍ）が提供されてよい。
【０４５４】
非一時的な読み取り可能な媒体とは、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０４５５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０４５６】
１０  ディスプレイ部
１１  基盤
１２  駆動部
１３  ディスプレイパネル
１４  保護層
１１０  ディスプレイ部
１２０  センサ部
１３０  制御部
【図１】
2013218696.tif 000006
【図２】
2013218696.tif 000007
【図３】
2013218696.tif 000008
【図４】
2013218696.tif 000009
【図５】
2013218696.tif 000010
【図６】
2013218696.tif 000011
【図７】
2013218696.tif 000012
【図８】
2013218696.tif 000013
【図９】
2013218696.tif 000014
【図１０】
2013218696.tif 000015
【図１１】
2013218696.tif 000016
【図１２】
2013218696.tif 000017
【図１３】
2013218696.tif 000018
【図１４】
2013218696.tif 000019
【図１５】
2013218696.tif 000020
【図１６】
2013218696.tif 000021
【図１７】
2013218696.tif 000022
【図１８】
2013218696.tif 000023
【図１９】
2013218696.tif 000024
【図２０】
2013218696.tif 000025
【図２１】
2013218696.tif 000026
【図２２】
2013218696.tif 000027
【図２３】
2013218696.tif 000028
【図２４】
2013218696.tif 000029
【図２５】
2013218696.tif 000030
【図２６】
2013218696.tif 000031
【図２７】
2013218696.tif 000032
【図２８】
2013218696.tif 000033
【図２９】
2013218696.tif 000034
【図３０】
2013218696.tif 000035
【図３１】
2013218696.tif 000036
【図３２】
2013218696.tif 000037
【図３３】
2013218696.tif 000038
【図３４】
2013218696.tif 000039
【図３５】
2013218696.tif 000040
【図３６】
2013218696.tif 000041
【図３７】
2013218696.tif 000042
【図３８】
2013218696.tif 000043
【図３９】
2013218696.tif 000044
【図４０】
2013218696.tif 000045
【図４１】
2013218696.tif 000046
【図４２】
2013218696.tif 000047
【図４３】
2013218696.tif 000048